(57)【要約】  少なくとも５０個のアイコンを含み、そのうちの少なくとも２５個が移動装置に格納された関連する名前を含む、移動装置のアイコン入力インタフェースを起動するステップ；前記起動されたインタフェースを使用して、少なくとも３個の連続アイコンを含むメッセージを入力するステップ；および前記メッセージをリモート通信装置に送信するステップを含む、移動通信ネットワークでメッセージを送信する方法。【選択図】  図１１
2008527563.tif 000002
【特許請求の範囲】
【請求項１】
少なくとも５０個のアイコンを含み、そのうちの少なくとも２５個が移動装置に格納された関連する名前を含む、移動装置のアイコン入力インタフェースを起動するステップ；
前記起動されたインタフェースを使用して、少なくとも３個の連続アイコンを含むメッセージを入力するステップ；および
前記メッセージをリモート通信装置に送信するステップ
を含む、移動通信ネットワークでメッセージを送信する方法。
【請求項２】
送信前のプレビューおよび前記送信を受信したときの表示の少なくとも一方の一部として、前記アイコンに関連付けられる名前を表示するステップを含む、請求項１に記載の方法。
【請求項３】
前記表示ステップは選択的に表示することを含む、請求項２に記載の方法。
【請求項４】
前記選択的表示はトグル表示を含む、請求項３に記載の方法。
【請求項５】
前記表示ステップは、前記アイコンに対してスクリーン上の予め定められた位置に表示することを含む、請求項２に記載の方法。
【請求項６】
前記表示ステップは全ての前記アイコンを同時に表示することを含む、請求項２に記載の方法。
【請求項７】
前記表示ステップは順次表示することを含む、請求項２に記載の方法。
【請求項８】
前記表示ステップは、前記メッセージが入力されるときに表示することを含む、請求項２に記載の方法。
【請求項９】
前記インタフェースの少なくとも１０個のアイコンに、少なくとも２つの異なる名前が関連付けられる、請求項１に記載の方法。
【請求項１０】
表示動作中に前記異なる名前のうちのどれを表示するかを自動的に選択するステップを含む、請求項９に記載の方法。
【請求項１１】
前記自動的選択ステップは名前の新しさに従って選択することを含む、請求項１０に記載の方法。
【請求項１２】
前記自動的選択ステップはコンテキストに従って選択することを含む、請求項１０に記載の方法。
【請求項１３】
少なくとも１つの名前と少なくとも１つのアイコンとの関連付けを含む投票をユーザから受信するステップを含む、請求項９に記載の方法。
【請求項１４】
前記異なる名前は異なる意味を有する、請求項９に記載の方法。
【請求項１５】
前記異なる名前は異なる言語である、請求項９に記載の方法。
【請求項１６】
音声的に区別される前記名前を選択するステップを含む、請求項１に記載の方法。
【請求項１７】
前記メッセージは少なくとも１０個のアイコンを含む、請求項１に記載の方法。
【請求項１８】
前記メッセージは少なくとも英数字記号のシーケンスを含む、請求項１に記載の方法。
【請求項１９】
前記アイコンは話し言葉の標準的表現ではない、請求項１に記載の方法。
【請求項２０】
前記アイコンは非言語アイコンである、請求項１に記載の方法。
【請求項２１】
前記アイコンは、その意味がそれらの画像から直感的には得られないが、前記アイコンから覚えやすく、かつその名前が知られている少なくとも１０個のアイコンを含む、請求項１に記載の方法。
【請求項２２】
前記アイコンは人々を表わす少なくとも５個のアイコンを含む、請求項１に記載の方法。
【請求項２３】
前記アイコンは時間を表わす少なくとも５個のアイコンを含む、請求項１に記載の方法。
【請求項２４】
前記アイコンは感情を表わす少なくとも５個のアイコンを含む、請求項１に記載の方法。
【請求項２５】
前記アイコンは場所を表わす少なくとも５個のアイコンを含む、請求項１に記載の方法。
【請求項２６】
前記アイコンはアクションを表わす少なくとも５個のアイコンを含む、請求項１に記載の方法。
【請求項２７】
前記アイコンは余暇活動または場所を表わす少なくとも５個のアイコンを含む、請求項１に記載の方法。
【請求項２８】
前記アイコンは、その概念の各々が主語、アクション、およびアクションの受入れに適した少なくとも５個のアイコンを含む、請求項１に記載の方法。
【請求項２９】
前記アイコンは、アイコン間の関係を示すアイコンを５個より多く含まない、請求項１に記載の方法。
【請求項３０】
前記アイコンは少なくとも３つの抽象的概念を含む、請求項１に記載の方法。
【請求項３１】
前記概念は「すぐに（ｓｏｏｎ）」、「欲しい（ｗａｎｔ）」、および「終わる（ｆｉｎｉｓｈ）」を含む、請求項３０に記載の方法。
【請求項３２】
前記アイコンは少なくとも５つのモチーフを含み、前記モチーフの各々は、少なくとも５個のアイコンのための基礎として使用される、請求項１に記載の方法。
【請求項３３】
前記アイコンは、感情および身体に関連する、少なくとも５％であるが５０個未満のアイコンを含む、請求項１に記載の方法。
【請求項３４】
前記インタフェースは前記アイコンをカテゴリ別に構成する、請求項１に記載の方法。
【請求項３５】
少なくとも４個であるが２０個未満のカテゴリがいつでも表示される、請求項３４に記載の方法。
【請求項３６】
前記カテゴリは入力キーにマップされる、請求項３４に記載の方法。
【請求項３７】
前記カテゴリは３×３のマトリックスとして構成される、請求項３４に記載の方法。
【請求項３８】
少なくとも３個のアイコンが、カテゴリおよび個別アイコンの両方として働く、請求項３４に記載の方法。
【請求項３９】
前記インタフェースは頻繁に使用されるアイコンを選択するための入力動作を最小化するように構成される、請求項３４に記載の方法。
【請求項４０】
少なくとも３個のアイコンおよびそれらの否定は、１つのアイコンおよびその否定が同一スクリーン位置を占め、かつ切り替えられるように構成される、請求項３４に記載の方法。
【請求項４１】
前記カテゴリは標準カテゴリと、グループのユーザによって共有される少なくとも１つのパーソナルカテゴリとを含む、請求項３４に記載の方法。
【請求項４２】
前記インタフェースはアイコンおよび／またはテキストフレーズの記憶を含む、請求項１に記載の方法。
【請求項４３】
入力ステップは入力の自動完了を含む、請求項１に記載の方法。
【請求項４４】
入力ステップはメニューナビゲーションによる入力を含む、請求項１に記載の方法。
【請求項４５】
入力ステップは英数字記号入力による入力を含む、請求項１に記載の方法。
【請求項４６】
前記インタフェースは、４回未満の入力により少なくとも１００個のアイコンの入力を可能にする、請求項１に記載の方法。
【請求項４７】
前記インタフェースは、アイコン入力から一時的テキスト入力モードへのエスケープを可能にする、請求項１に記載の方法。
【請求項４８】
前記移動装置は非アルファベット言語のデータ入力をサポートするようにプログラムされない、請求項１に記載の方法。
【請求項４９】
入力ステップは、アイコンまたはテキストセグメントのフォーマット設定および動画の少なくとも一方を定義することを含む、請求項１に記載の方法。
【請求項５０】
ディスプレイ要素の動きを設定するステップを含む、請求項４９に記載の方法。
【請求項５１】
ディスプレイ要素のサイズを設定するステップを含む、請求項４９に記載の方法。
【請求項５２】
ディスプレイ要素のスライドショーを示すステップを含む、請求項４９に記載の方法。
【請求項５３】
送信ステップは、前記アイコンを各々４バイトより小さい識別コードに変換することを含む、請求項１に記載の方法。
【請求項５４】
送信ステップはＳＭＳプロトコルで前記コードを送信し、受信側で前記コードを復号することを含む、請求項５３に記載の方法。
【請求項５５】
送信ステップは、受信側で前記コードに応答するサーバから少なくとも１つのアイコン画像をダウンロードすることを含む、請求項５４に記載の方法。
【請求項５６】
１０×１０ｃｍより小さいディスプレイ；
送信回路；
少なくとも５０個のアイコンの画像および前記アイコンの少なくとも２５個に関連する関連名を格納するためのメモリ；および
前記アイコンの入力およびそれに関連する前記名前の表示を可能にするように構成されたプロセッサ
を備えた移動通信装置。
【請求項５７】
１０×１０ｃｍより小さいディスプレイ；
送信回路；
少なくとも５０個のアイコンの画像を格納するためのメモリ；および
第１のテキストメッセージ入力モードおよび第２のアイコンメッセージ入力モードを含み、前記アイコン入力モードがアイコンに加えてテキストを入力するオプションを含むように構成されたプロセッサ
を備えた移動通信装置。
【請求項５８】
１０×１０ｃｍより小さいディスプレイ；
送信回路；
少なくとも５０個のアイコンの画像を格納するためのメモリ；および
主にアイコン入力モードであるメッセージ入力モードを含むように構成されたプロセッサ
を備えた移動通信装置において、前記モードが、アイコン入力および選択のための入力操作コマンドを、テキスト入力および選択の場合と少なくとも同数含むことを特徴とする、移動通信装置。
【請求項５９】
前記メッセージ入力モードはアイコン入力のデフォルト状態を有する、請求項５８に記載の装置。
【請求項６０】
１０×１０ｃｍより小さいディスプレイ；
送信回路；
少なくとも５０個のアイコンの画像を格納するためのメモリ；および
少なくとも４つの異なる機能カテゴリが設けられ、カテゴリのメンバとして前記アイコンにアクセスするように構成されたプロセッサ
を備え、非アルファベット画像を有するメッセージを入力するように適応された移動装置。
【請求項６１】
前記画像は言語画像を含む、請求項６０に記載の装置。
【請求項６２】
前記画像は非言語画像を含む、請求項６０に記載の装置。
【請求項６３】
前記カテゴリの少なくとも１つは時間を含む、請求項６０に記載の装置。
【請求項６４】
前記カテゴリの少なくとも１つは人々を含む、請求項６０に記載の装置。
【請求項６５】
前記カテゴリの少なくとも１つはアクションを含む、請求項６０に記載の装置。
【請求項６６】
前記カテゴリの少なくとも１つは場所を含む、請求項６０に記載の装置。
【請求項６７】
少なくとも９つのカテゴリが設けられる、請求項６０に記載の装置。
【請求項６８】
１０×１０ｃｍより小さいディスプレイ；
送信回路；
少なくとも５０個のアイコンの画像を格納するためのメモリであって、前記アイコンの少なくとも１０個が非直感的でありかつ覚えやすいように構成されたメモリ；および
前記アイコンにアクセスするように構成されたプロセッサ
を備え、非アルファベット画像を有するメッセージを入力するように適応された移動装置。
【請求項６９】
前記アイコンは、少なくとも５つの異なるモチーフを含み、各モチーフに５個のアイコンがある、請求項６８に記載の装置。
【請求項７０】
前記アイコンは、正反対の関連アイコンを持つ少なくとも５個のアイコンを含む、請求項６８に記載の装置。
【請求項７１】
１０×１０ｃｍより小さいディスプレイ；
送信回路；
少なくとも比較的固定された５０個のアイコンの画像を格納するためのメモリ；
少なくとも更新可能な１０個のアイコンを格納する更新可能なメモリ；および
単一のメッセージの一部として前記メモリおよび前記更新可能なメモリ内のアイコンにアクセスするように構成されたプロセッサ
を備え、非アルファベット画像を有するメッセージを入力するように適応された移動装置。
【請求項７２】
前記更新可能なアイコンの少なくとも一部は、前記固定されたアイコンとは異なる機能カテゴリに属するものとして前記プロセッサによってアクセスされる、請求項７１に記載の装置。
【請求項７３】
１０×１０ｃｍより小さいディスプレイ；
送信回路；
各グループが異なるカラーマップを利用する少なくとも２つのグループに分割された少なくとも５０個のアイコンの画像を格納するためのメモリ；
少なくとも更新可能な１０個のアイコンを格納する更新可能なメモリ；および
メッセージの一部として前記アイコンにアクセスするように構成されたプロセッサ
を備え、非アルファベット画像を有するメッセージを入力するように適応された移動装置。
【請求項７４】
前記アイコンは少なくとも４つのグループに分割される、請求項７３に記載の装置。
【請求項７５】
アイコンコードとして少なくとも１００個のアイコンのセットから選択された非言語アイコンを含むメッセージを送信する第１通信装置；および
前記メッセージを受信し、かつ表示のために前記送信の場合と同じアイコンの少なくとも９０％を使用してメッセージを復号する第２通信装置
を備えた、アイコニック通信システム。
【請求項７６】
前記メッセージを前記通信装置の間で伝達するように適応されたサーバを含む、請求項７５に記載のシステム。
【請求項７７】
前記サーバは前記第２通信装置で欠落したアイコン能力をサポートする、請求項７６に記載のシステム。
【請求項７８】
移動装置のアイコン表示インタフェースを起動するステップ；
前記起動したインタフェースを用いて、少なくとも３個の連続アイコンを含むメッセージを表示するステップ；および
前記３個のアイコンに関連付けられるテキスト名を、少なくとも一時的に前記アイコンに隣接して表示するステップ
を含む、移動通信装置でアイコンメッセージを示す方法。
【請求項７９】
少なくとも１００個のアイコンを含み、その少なくとも１０％が動画化された、移動装置のアイコン入力インタフェースを起動するステップ；
前記起動されたインタフェースを使用して、少なくとも３個の連続アイコンを含むメッセージを入力するステップ；
前記メッセージをリモート通信装置に送信するステップ；および
前記アイコンを動画化形式で前記リモート通信装置に表示するステップ
を含む、移動通信ネットワークでメッセージを送信する方法。
【請求項８０】
移動装置のアイコン言語インタフェースを起動するステップ；
前記起動されたインタフェースを使用して、少なくとも１個のアイコンを含むメッセージを入力するステップ；
前記少なくとも１個のアイコンの少なくとも１個に対し動画を定義するステップ；
リモート通信装置に前記メッセージを送信するステップ；および
前記リモート通信装置で前記動画化を実行するステップ
を含む、移動通信ネットワークでメッセージを送信する方法。
【請求項８１】
前記動画化はスライドショーを含む、請求項８０に記載の方法。
【請求項８２】
前記動画化は前記アイコンの動きを含む、請求項８０に記載の方法。
【請求項８３】
前記動画化は前記アイコンのサイズ変更を含む、請求項８０に記載の方法。
【請求項８４】
前記動画化は前記アイコンの画像の変化を含む、請求項８０に記載の方法。
【請求項８５】
前記動画化に関連して音声を定義するステップを含む、請求項８４に記載の方法。
【請求項８６】
移動装置のリッチメディアインタフェースを起動するステップ；
前記起動されたインタフェースを使用して、非テキスト記号の少なくとも１つまたはフォーマット設定コマンドの少なくとも１つを含むメッセージを入力するステップ；
前記入力のＩＤコードを使用して前記入力を符号化するステップ；
前記メッセージをリモート通信装置に送信するステップ；および
前記リモート通信装置で前記メッセージを実行するステップ
を含む、移動通信ネットワークでリッチメディアメッセージを送信する方法。
【請求項８７】
前記非テキスト記号は画像を含む、請求項８６に記載の方法。
【請求項８８】
前記非テキスト記号は音声を含む、請求項８６に記載の方法。
【請求項８９】
前記フォーマット設定コマンドはテキストフォーマット設定コマンドを含む、請求項８６に記載の方法。
【請求項９０】
少なくとも１つの入力を打ち込むステップ；
少なくとも５０個のアイコンの選択から前記入力をアイコン表示に自動的に変換するステップ；および
さらなる打ち込みに応じて前記変換を自動的に変更するステップ
を含む、アイコン入力の方法。
【請求項９１】
前記打ち込みステップはコードを含む、請求項９０に記載の方法。
【請求項９２】
前記変換ステップは意図されたアイコンの推測を含む、請求項９０に記載の方法。
【請求項９３】
前記変換ステップはショートカットの表を使用して変換することを含む、請求項９０に記載の方法。
【請求項９４】
前記変換ステップは変換キャッシュを使用して変換することを含む、請求項９０に記載の方法。
【請求項９５】
第１言語に精通しておりかつ第２言語に精通していない人間が限定されたアイコンセットを使用してメッセージを入力するステップ；および
前記アイコンおよび前記第２言語を対応させる辞書を使用して、前記アイコンを前記第２言語のテキスト記号に自動的に変換するステップ
を含む、翻訳の方法。
【請求項９６】
前記入力ステップは移動通信装置に入力することを含む、請求項９５に記載の方法。
【請求項９７】
データ入力方法およびクライアントのディスプレイサイズの少なくとも一方を含むパラメータをサーバが決定するステップ；および
前記決定されたパラメータ用に適応された前記クライアントのためのアイコン入力および表示アプリケーションを自動的に生成するステップ
を含む、適応型クライアント生成の方法。
【請求項９８】
少なくとも５０の移動通信装置の各々がアイコニックメッセージを送信するステップ；および
前記メッセージに対し集約アクション応答を実行するステップ
を含む、集団協力の方法。
【請求項９９】
前記集約アクションは、アイコンを前記移動装置のソフトウェアに追加することに関する投票として前記メッセージを処理することを含む、請求項９８に記載の方法。
【請求項１００】
前記集約アクションは、アイコンの意味を前記移動装置のソフトウェアに追加することに関する投票として前記メッセージを処理することを含む、請求項９８に記載の方法。
【請求項１０１】
前記集約アクションはパブリックディスプレイを生成することを含む、請求項９８に記載の方法。
【請求項１０２】
移動装置にアイコンの更新を提供するように適応された少なくとも１つのサーバに接続された少なくとも１０００の移動装置を提供するステップ；および
アイコンセットの少なくとも５０％の使用頻度が前記移動装置の間で共通するように強制するステップ
を含む、アイコンセットの使用頻度の中央制御の方法。
【請求項１０３】
前記強制ステップは、前記移動装置のアイコンセットを更新することを含む、請求項１０２に記載の方法。
【請求項１０４】
前記強制ステップは、前記移動装置による前記アイコンセットに関する投票を制御することを含む、請求項１０２に記載の方法。
【請求項１０５】
複数のアイコンであって、その少なくとも１つにそれと正反対のアイコンがあるという指示を含んでいるアイコンを表示するステップ；
正反対のアイコンを持つアイコンをユーザが選択するステップ；および
前記選択されたアイコンの画像をその正反対のアイコンとトグルするステップ
を含む、アイコンを選択する方法。
【発明の詳細な説明】
【技術分野】
【０００１】
関連出願
本願は、Ｙｏａｖ  Ｌｏｒｃｈによって発明された２００５年１月１８日出願の米国特許仮出願第６０／６４４０２１号の米国特許法第１１９条（ｅ）項に基づく特典を主張し、かつ２００５年１月１６日出願の「Ｍｅｔｈｏｄ  ａｎｄ  Ｓｙｓｔｅｍ  ｆｏｒ  Ｉｃｏｎｉｃ  Ｌａｎｇｕａｇｅ  Ｃｏｍｍｕｎｉｃａｔｉｏｎ」、と称するイスラエル出願第１６６３２２号からの優先権をも主張し、それらの開示内容を参照によって本書に援用する。本願はまた、ＰＣＴのイスラエル受理官庁に本願と同時に出願した「Ｃｏｍｍｕｎｉｃａｔｉｏｎｓ  Ｎｅｔｗｏｒｋ  Ｓｙｓｔｅｍ  ａｎｄ  Ｍｅｔｈｏｄｓ  ｆｏｒ  Ｕｓｉｎｇ  Ｓａｍｅ」と称する出願（代理人整理番号５２４／０４９８４）、およびイスラエル特許庁に本書と同時に出願した「Ｃｏｍｍｕｎｉｃａｔｉｏｎｓ  Ｎｅｔｗｏｒｋ  Ｓｙｓｔｅｍ  ａｎｄ  Ｍｅｔｈｏｄｓ  ｆｏｒ  Ｕｓｉｎｇ  Ｓａｍｅ」と称する出願（代理人整理番号５２４／０５０７７）にも関連し、それらの開示内容を参照によって本書に援用する。
【０００２】
技術分野
本願は、通信の分野に関する。その一部の実施形態では、本発明は、移動通信装置に適したアイコンセットの使用に関する。
【背景技術】
【０００３】
発明の背景
移動通信の人気は、人々が通信し、相互に連絡を取り合い、世界中の情報にアクセスする仕方を大きく改善した。
【０００４】
しかし、移動通信の成功は、限られたテキスト入力および表示の能力、限られたメモリ、ならびに通信に利用可能な限られた帯域幅等の、移動装置の本質的な弱点によって制限されている。
【０００５】
ＰＣＴ国際公開第９７／５０２６４号は、多数の通信機能を組み込んだ携帯電話機を開示しており、その開示内容を参照によって本書に援用する。
【０００６】
ＰＣＴ国際公開第０３／０６７４１８号は、アイコンを使用する、携帯電話機に設けられたグラフィカルユーザインタフェースを開示しており、その開示内容を参照によって本書に援用する
【０００７】
米国特許出願公開第２００２／０１８４３０９号は、電子メッセージのためにユーザが打ち込まなければならない入力の量を低減するためのシステムおよび方法を開示しており、その開示内容を参照によって本書に援用する
【０００８】
Ｂｅａｒｄｏｎ，Ｃ．「Ｉｃｏｎｉｃ  Ｃｏｍｍｕｎｉｃａｔｉｏｎ」（アイコニック通信に関する第３回国際会議ブリストル、１９９９、ｈｔｔｐ：／／ｗｗｗ．ｃｓ．ｗｐｉ．ｅｄｕ／〜ｎｅｍｌｅｅｍ）は、言語の多様性の問題はアイコニック言語の助けを借りて克服することができることを示唆しており、その開示内容を参照によって本書に援用する。
【０００９】
米国特許第５７４２７７９号は、ディスプレイ上のカーソルを通して位置を視覚的に表示するためのポインティング装置を有するダイナミックグラフィックスディスプレイによりコンピュータを使用することにより、言語指向情報をユーザとの間で通信する、標準サイズのアイコン、テキスト、および音声を使用する通信の方法を開示しており、その開示内容を参照によって本書に援用する。記載は、表示されたアイコンのマーキング、アイコンの起動時のアイコンの自動投影、終端ノード状態を表わすアイコン画像の変化、アイコンの音声／映像面の再生速度の変動、階層データベースの異なる層間での移動、ならびにアイコンによるテキスト検索および照合を含む。
【００１０】
米国特許出願第２００２／０１４０７３２号は、アイコニック言語通信ツールのための方法、システム、および記憶媒体を開示しており、その開示内容を参照によって本書に援用する。該システムは、ユーザのアイコン選択を受け取るためのアイコニック言語通信テンプレートを生成し、アイコニック言語通信テンプレートを提示し、かつアイコニック言語通信テンプレートからユーザのアイコン選択を受け取るためのホストシステムを含む。ネットワークおよびデータベースはホストシステムと交信する。
【発明の開示】
【００１１】
本発明の一部の実施形態の広範な態様は、例えば能力が限定されたインタフェース通信装置、例えばセルラ電話機、衛星電話機、およびＤＥＣＴ電話機等の、スクリーンおよび／または入力資源が限定された装置を使用するアイコニック通信に関する。本発明の例示的実施形態では、アイコニック通信の使用は改善された移動通信を促進する。一部の実施形態では、言語障壁の克服を助長するためにアイコニック通信用アイコンセット（ｉｃｏｎｉｃ  ｉｃｏｎ  ｓｅｔ）が使用される。本発明の一部の実施形態では、アイコニック通信は、さほど能力が限定されていない装置、例えばラップトップまたはハンドヘルドコンピュータで使用されることに留意されたい。ＰＤＡ等の中間装置もサポートすることができる。
【００１２】
本発明の一部の実施形態の１態様は、限定数の要素および限定的な文法ツールの一方または両方を含む疎なアイコニックセットに関する。本発明の例示的実施形態では、限定数の要素は８００個未満の要素、６００個未満の要素、３００個未満の要素、または中間の個数を含む。任意選択的に、少なくとも１００個または少なくとも２００個のアイコンが提供される。任意選択的に、要素は、アイコンセットのユーザに関連付けることができる感情、自己、および余暇等の１つまたはそれ以上のカテゴリから不均衡に選択される。本発明の例示的実施形態では、限定的な文法ツールは文の考えられる複雑さを低減する。本発明の例示的実施形態では、アイコンセットは、英語、ドイツ語、または中国語のような既存の言語の概念に基づいて、単語の小さいサブセットを選択することによって構成される。しかし、本発明の一部の実施形態では、少なくとも記号の幾つか、例えば５０個以上は、標準的な書き言葉または話し言葉の単語または表意文字から選択されない。
【００１３】
本発明の例示的実施形態では、アイコンは色を含み、例えば少なくとも幾つかのアイコンは背景色（任意選択的に透明である）以外に少なくとも２色、３色、またはそれ以上の色を含む。
【００１４】
本発明の例示的実施形態では、セットの一部または全部のアイコンは名前に関連付けられ、場合によってはアイコン毎に単一の名前に、場合によっては２つ以上の名前に関連付けられる。本発明の例示的実施形態では、名前は、例えばメッセージを作成、プレビュー、かつ／または読み出すときに、表示することができる。任意選択的に、単一のアイコンに複数の名前が提供される。任意選択的に、名前は異なる人間言語を反映する。
【００１５】
本発明の例示的実施形態では、一般用に少数のアイコン、例えば２１０＋１未満、２９＋１未満、２８＋１未満、または中間値の個数のアイコンが提供される。任意選択的に、特別なグループまたは個人は、例えば５０個、１００個、またはそれより少数、多数、もしくは中間数の追加パーソナルアイコンを持つことができる。
【００１６】
本発明の例示的実施形態では、テキストセグメントをアイコンと混合することができる。
【００１７】
本発明の例示的実施形態では、セットおよび／またはセットとのインタフェースがカテゴリ別に構成される。任意選択的に、カテゴリの個数および／またはカテゴリ内の項目の個数は、例えばセルラ電話機の能力に整合するように、かつ／または学習を簡素化するように限定される。本発明の例示的実施形態では、一般的に使用されるアイコンの少なくとも大部分にアクセスするために、比較的浅いメニュー構造が設けられる。
【００１８】
本発明の例示的実施形態では、メッセージは、伝達すべき１つまたはそれ以上の関連概念を識別し、かつこれらの概念に整合するアイコンを選択することによって、セットを用いて作成される。
【００１９】
本発明の例示的実施形態では、言語間の翻訳は、メッセージを１つの言語で作成するユーザによって、限定されたアイコンセットに適合するようにメッセージを簡素化し、次いでアイコンを目標言語の単語に変換することによって達成される。
【００２０】
本発明の例示的実施形態では、アイコンは、アルファベット言語をサポートするだけのシステムに非アルファベットメッセージを入力するために使用される。
【００２１】
本発明の例示的実施形態では、アイコンセットはピジン言語として働く。一部の実施形態では、アイコンセットは次の基準の１つまたはそれ以上を満たす。すなわち、それは地域言語ではなく、自然言語ではなく、いずれかの国または機関の公式言語ではなく、少なくとも１０００００人によって話される言語ではなく、話し言葉ではなく、かつ／または受け入れられた人間言語ではない。
【００２２】
本発明の例示的実施形態では、限定されたアイコンセットの使用は、集団協力（ｍａｓｓ−ｃｏｏｐｅｒａｔｉｏｎ）のために、例えば世論調査への改善された回答を生成するために使用される。任意選択的に、世論調査は、現用言語の一部として任意選択的に使用される予め定められたカテゴリのアイコンを使用して、可能な回答の数が比較的少数となるように、例えば２０未満、または１０未満であるが、２を超え、かつ数字目盛上の単なる数字とならないように、例えば感情のアイコンを使用して回答するように要求される。
【００２３】
本発明の例示的実施形態では、アイコンセットの内容は例えばセントラルロケーションによって制御される。任意選択的に、この制御はセットに概念を追加すること、またはセットを使用するシステムから除去することも含めてセットから概念を除去することを可能にする。任意選択的に、アイコンおよび／または色に基づくセットの使用は、ソフトウェアのサポート無しにアイコンセットを使用することを難しくし、したがってセットの形および／または範囲は任意選択的にソフトウェアを制御することによって制御される。任意選択的に、これはセットをアイコンの簡約セットとして維持することを可能にする。
【００２４】
本発明の例示的実施形態では、アイコンに使用される実際のグラフィックは、例えばスクリーン解像度、プロモーション（例えばワールドカップ用の１組のアイコンまたはスクリーン）、および／または利用可能な色に依存する。
【００２５】
本発明の例示的実施形態では、アイコンは、アイコン入力を目的とするインタフェースを用いて入力される。そのような指示は、例えばアイコンをベースとするインタフェース、インタフェースの小部分（例えば制御オプションの５０％未満、３０％未満、または１０％未満）を含むプレーンテキストを入力するためのオプション、アイコンモードで開始されるインタフェース接続、および／またはテキストサイズではなくアイコンサイズに依存するスクリーン利用など、幾つかの形を取ることができる。テキストが入力されると、任意選択的にアイコン入力はそれが停止した所から再開される。
【００２６】
任意選択的に、移動装置は例えばＳＭＳ入力用、または電子メール入力用の別個のテキスト入力インタフェースを含む。そのようなインタフェースは、例えばリストから選択することによって、１つまたはそれ以上の画像を挿入するオプションを含むことができる。
【００２７】
本発明の一部の実施形態の１態様は、ＳＭＳ等の限定されたリンクでリッチメディアサービスを提供することに関する。本発明の例示的実施形態では、サービスはアイコン、フォーマット設定されたテキスト、音声、画像、および動画の１つまたはそれ以上を含む。任意選択的に、指示はテキストフォーマットに符号化され、ターゲットで復号される。任意選択的に、ターゲットが復号できない場合、サーバが復号して、メッセージを別のフォーマットで提供する。任意選択的に、メッセージは、サーバによって提供される画像の表示を含む。
【００２８】
本発明の例示的実施形態では、リッチメディアはスライドショーを含む。本発明の例示的実施形態では、スライドショーは、任意選択的に数メートルの距離から例えば移動装置でスライドショーを見る個人が、移動装置を使用する個人の近くの１人またはそれ以上の個人と交信するために使用される。
【００２９】
本発明の例示的実施形態では、リッチメディアは、ターゲットのスクリーン上で動く画像を含む。
【００３０】
本発明の例示的実施形態では、表示されるリッチメディアのプレゼンテーションは、セルラ電話機のカメラを用いて取り込まれ、任意選択的に編集され、（例えばムービー、画像、および／またはアイコンメッセージとして）送信される。任意選択的に、編集は、例えば画像／取り込まれたムービーで既知のアイコンと合致するパターンを探索することによって、画像／取り込まれた映像を一連のアイコンに変換することを含む。
【００３１】
本発明の一部の実施形態の１態様は、アイコンおよび／またはテキストサービスに関する。本発明の例示的実施形態では、アイコンに基づくメッセージは、アイコンセットの意図的な単純化を補うように意図されたテキストセグメントを含む。
【００３２】
本発明の例示的実施形態では、テキストは自動的にアイコンに変換され、その逆もしかりである。
【００３３】
本発明の例示的実施形態では、アイコンの入力の自動完了および／または推測は、以前のメッセージに従って、かつ／または入力のエントリの不完全なシーケンス（例えば未完のメニュー選択シーケンス）に従って選択される。
【００３４】
本発明の例示的実施形態では、アイコンには名前が関連付けられ、例えば要求により、任意選択的に表示される。本発明の例示的実施形態では、例えば名前とアイコンの関連付けの学習をサポートするために、表示のために選択される名前は変更される。
【００３５】
本発明の例示的実施形態では、アイコンメッセージはアイコンの２次元配列状に表示され、各アイコンは異なるアイコンメッセージから選択されたアイコンを表わす。
【００３６】
本発明の一部の実施形態の１態様は、システムのユーザ間の通信に関連するセルラシステムのユーザの嗜好の管理に関する。本発明の例示的実施形態では、ユーザは低減された表示のセットを使用して通信し、これらの表示は必要ならば通信のターゲットに従ってディスプレイに変換される。任意選択的に、変換はユーザとターゲットとの中間にあるサーバによって行なわれる。
【００３７】
本発明の例示的実施形態では、ユーザはグループに編成され、メンバシップおよび表示の任意選択的な重複は、送信者のグループのメンバシップに従って変換される。
【００３８】
本発明の例示的実施形態では、アイコニックメッセージ通信のために移動装置で使用するためのコンピュータアプリケーションであって、
ａ）少なくとも１つのセットアイコンに関連付けられるカテゴリの少なくとも１つの記号を含むリポジトリと、
ｂ）移動装置の入力インタフェースおよびディスプレイに機能的に関連付けられ、かつ少なくとも１つのセットアイコンを含むアイコニックメッセージを作成するように適応されたユーザインタフェースと、
ｃ）移動装置のネットワークインタフェースと機能的に関連付けられ、かつメッセージサーバネットワークを介して作成されたアイコニックメッセージを送信するように適応されたネットワークインタフェースと、
ｄ）前記リポジトリ、ユーザインタフェース、およびネットワークインタフェースに連結され、かつ、ユーザインタフェースと機能的に関連して、アイコニックメッセージを作成するために関連するカテゴリの記号を介して少なくとも１つのセットアイコンを選択すること、および作成されたメッセージを移動装置のディスプレイの予め定められた領域内に表示することを容易にするように適応されたプロセッサと
を備えたコンピュータアプリケーションを提供する。
【００３９】
本発明の例示的実施形態では、移動装置を介するアイコニック通信のための方法において、
ａ）アイコンに基づくメッセージ構成要素を有するアイコニックメッセージを作成するステップであって、
ｉ．メッセージの各構成要素に対し、該構成要素が属するカテゴリに関連付けられるカテゴリ記号を選択するサブステップと、
ｉｉ．メッセージ構成要素に一般的に相関するセットアイコンを選択するサブステップと、
ｉｉｉ．作成したメッセージを移動装置のディスプレイの予め定められた領域内に表示するサブステップと
を含むメッセージ作成ステップと、
ｂ）アイコニックメッセージが作成された後、移動装置に機能的に関連付けられる送信機を介して該メッセージを受信者に送信するステップと
を含む方法を提供する。
【００４０】
本発明の例示的実施形態では、アイコニックメッセージを作成するために通信装置で使用するためのアプリケーションであって、
ａ．少なくとも１つのセットアイコンに関連付けられるカテゴリの少なくとも１つの記号を含むリポジトリと、
ｂ．通信装置の入力インタフェースおよびディスプレイに機能的に関連付けられ、かつ少なくとも１つのセットアイコンを含むアイコニックメッセージを作成するように適応されたユーザインタフェースと、
ｃ．通信装置のネットワークインタフェースと機能的に関連付けられ、かつ作成されたアイコニックメッセージを送信するように適応されたネットワークインタフェースと、
ｄ．前記リポジトリ、ユーザインタフェース、およびネットワークインタフェースに連結され、かつ、ユーザインタフェースと機能的に関連して、アイコニックメッセージを作成するために関連するカテゴリの記号を介して少なくとも１つのセットアイコンを選択すること、および作成するメッセージを通信装置のディスプレイの予め定められた領域内に表示することを容易にするように適応されたプロセッサと
を備えたアプリケーションを提供する。
【００４１】
したがって本発明の例示的実施形態では、少なくとも５０個のアイコンを含み、そのうちの少なくとも２５個が移動装置に格納された関連する名前を含む、移動装置のアイコン入力インタフェースを起動するステップと、起動されたインタフェースを使用して、少なくとも３個の連続アイコンを含むメッセージを入力するステップと、該メッセージをリモート通信装置に送信するステップとを含む、移動通信ネットワークでメッセージを送信する方法を提供する。本発明の一部の例示的実施形態では、該方法は、送信前のプレビューおよび送信を受信したときの表示の少なくとも一方の一部として、アイコンに関連付けられる名前を表示するステップをさらに含む。任意選択的に、表示ステップは選択的に表示することを含む。任意選択的に、選択的表示はトグル表示を含む。任意選択的に、表示ステップは、アイコンに対してスクリーン上の予め定められた位置に表示することを含む。任意選択的に、表示ステップは全てのアイコンを同時に表示することを含む。任意選択的に、表示ステップは順次表示することを含む。任意選択的に、表示ステップは、メッセージが入力されるときに表示することを含む。任意選択的に、インタフェースの少なくとも１０個のアイコンに、少なくとも２つの異なる名前が関連付けられる。本発明の一部の例示的実施形態では、該方法は、表示動作中に異なる名前のうちのどれを表示するかを自動的に選択するステップをさらに含む。任意選択的に、自動的選択ステップは名前の新しさに従って選択することを含む。任意選択的に、自動的選択ステップはコンテキストに従って選択することを含む。本発明の一部の例示的実施形態では、該方法は、少なくとも１つの名前と少なくとも１つのアイコンとの関連付けを含む投票をユーザから受信するステップをさらに含む。任意選択的に、異なる名前は異なる意味を有する。任意選択的に、異なる名前は異なる言語である。本発明の一部の例示的実施形態では、該方法は音声的に区別される名前を選択するステップをさらに含む。任意選択的に、メッセージは少なくとも１０個のアイコンを含む。任意選択的に、メッセージは少なくとも英数字記号のシーケンスを含む。任意選択的に、アイコンは話し言葉の標準的表現ではない。任意選択的に、アイコンは非言語アイコンである。任意選択的に、アイコンは、その意味がそれらの画像から直感的には得られないが、アイコンから覚えやすく、かつその名前が知られている少なくとも１０個のアイコンを含む。任意選択的に、アイコンは人々を表わす少なくとも５個のアイコンを含む。任意選択的に、アイコンは時間を表わす少なくとも５個のアイコンを含む。任意選択的に、アイコンは感情を表わす少なくとも５個のアイコンを含む。任意選択的に、アイコンは場所を表わす少なくとも５個のアイコンを含む。任意選択的に、アイコンはアクションを表わす少なくとも５個のアイコンを含む。任意選択的に、アイコンは余暇活動または場所を表わす少なくとも５個のアイコンを含む。任意選択的に、アイコンは概念の各々が主語、アクション、およびアクションの受入れに適した少なくとも５個のアイコンを含む。任意選択的に、アイコンは、アイコン間の関係を示すアイコンを６個以上含まない。任意選択的に、アイコンは少なくとも３つの抽象的概念を含む。任意選択的に、概念は「すぐに（ｓｏｏｎ）」、「欲しい（ｗａｎｔ）」、および「終わる（ｆｉｎｉｓｈ）」を含む。任意選択的に、アイコンは少なくとも５つのモチーフを含み、各々のモチーフは、少なくとも５個のアイコンのための基礎として使用される。任意選択的に、アイコンは、感情および身体に関連する、少なくとも５％であるが５０個未満のアイコンを含む。任意選択的に、インタフェースはアイコンをカテゴリ別に構成する。本発明の一部の例示的実施形態では、少なくとも４個であるが２０個未満のカテゴリがいつでも表示される。任意選択的に、カテゴリは入力キーにマップされる。任意選択的に、カテゴリは３×３のマトリックスとして構成される。本発明の一部の例示的実施形態では、少なくとも３個のアイコンが、カテゴリおよび個別アイコンの両方として働く。任意選択的に、インタフェースは頻繁に使用されるアイコンを選択するための入力動作を最小化するように構成される。任意選択的に、少なくとも３個のアイコンおよびそれらの否定は、１つのアイコンおよびその否定が同一スクリーン位置を占め、切り替えられるように構成される。任意選択的に、カテゴリは標準カテゴリと、グループのユーザによって共有される少なくとも１つのパーソナルカテゴリとを含む。任意選択的に、インタフェースはアイコンおよび／またはテキストフレーズの記憶を含む。任意選択的に、入力ステップは入力の自動完了を含む。任意選択的に、入力ステップはメニューナビゲーションによる入力を含む。任意選択的に、入力ステップは英数字記号入力による入力を含む。任意選択的に、インタフェースは、４回未満の入力により少なくとも１００個のアイコンの入力を可能にする。任意選択的に、インタフェースは、アイコン入力から一時的テキスト入力モードへのエスケープを可能にする。任意選択的に、移動装置は非アルファベット言語のデータ入力をサポートするようにプログラムされない。任意選択的に、入力ステップは、アイコンまたはテキストセグメントのフォーマット設定および動画の少なくとも一方を定義することを含む。本発明の一部の例示的実施形態では、該方法はディスプレイ要素の動きを設定するステップをさらに含む。本発明の一部の例示的実施形態では、該方法はディスプレイ要素のサイズを設定するステップをさらに含む。本発明の一部の例示的実施形態では、該方法は、ディスプレイ要素のスライドショーを示すステップをさらに含む。任意選択的に、送信ステップは、アイコンを各々４バイトより小さい識別コードに変換することを含む。任意選択的に、送信ステップはＳＭＳプロトコルでコードを送信し、受信側でコードを復号することを含む。任意選択的に、送信ステップは、受信側でコードに応答するサーバから少なくとも１つのアイコン画像をダウンロードすることを含む。
【００４２】
したがって、本発明の例示的実施形態では、１０×１０ｃｍより小さいディスプレイと、送信回路と、少なくとも５０個のアイコンの画像および該アイコンの少なくとも２５個に関連する関連名を格納するためのメモリと、アイコンの入力およびそれに関連する名前の表示を可能にするように構成されたプロセッサとを備えた移動通信装置を提供する。
【００４３】
したがって、本発明の例示的実施形態では、１０×１０ｃｍより小さいディスプレイと、送信回路と、少なくとも５０個のアイコンの画像を格納するためのメモリと、第１のテキストメッセージ入力モードおよび第２のアイコンメッセージ入力モードを含み、アイコン入力モードがアイコンに加えてテキストを入力するオプションを含むように構成されたプロセッサとを備えた移動通信装置を提供する。
【００４４】
したがって、本発明の例示的実施形態では、１０×１０ｃｍより小さいディスプレイと、送信回路と、少なくとも５０個のアイコンの画像を格納するためのメモリと、主にアイコン入力モードであるメッセージ入力モードを含むように構成されたプロセッサとを備え、該モードが、アイコン入力および選択のための入力操作コマンドを、テキスト入力および選択の場合と少なくとも同数含むことを特徴とする、移動通信装置を提供する。任意選択的に、メッセージ入力モードはアイコン入力のデフォルト状態を有する。
【００４５】
したがって、本発明の例示的実施形態では、１０×１０ｃｍより小さいディスプレイと、送信回路と、少なくとも５０個のアイコンの画像を格納するためのメモリと、少なくとも４つの異なる機能カテゴリが設けられ、カテゴリのメンバとしてアイコンにアクセスするように構成されたプロセッサとを備え、非アルファベット画像を有するメッセージを入力するように適応された移動装置を提供する。任意選択的に、画像は言語画像を含む。任意選択的に、画像は非言語画像を含む。任意選択的に、カテゴリの少なくとも１つは時間を含む。任意選択的に、カテゴリの少なくとも１つは人々を含む。任意選択的に、カテゴリの少なくとも１つはアクションを含む。任意選択的に、カテゴリの少なくとも１つは場所を含む。任意選択的に、少なくとも９つのカテゴリが設けられる。
【００４６】
したがって、本発明の例示的実施形態では、１０×１０ｃｍより小さいディスプレイと、送信回路と、少なくとも５０個のアイコンの画像を格納するためのメモリであって、該アイコンの少なくとも１０個が非直感的でありかつ覚えやすいように構成されたメモリと、アイコンにアクセスするように構成されたプロセッサとを備え、非アルファベット画像を有するメッセージを入力するように適応された移動装置を提供する。任意選択的に、アイコンは、少なくとも５つの異なるモチーフを含み、各モチーフに５個のアイコンがある。任意選択的に、アイコンは、正反対の関連アイコンを持つ少なくとも５個のアイコンを含む。
【００４７】
したがって、本発明の例示的実施形態では、１０×１０ｃｍより小さいディスプレイと、送信回路と、少なくとも比較的固定された５０個のアイコンの画像を格納するためのメモリと、少なくとも更新可能な１０個のアイコンを格納する更新可能なメモリと、単一のメッセージの一部としてメモリおよび更新可能なメモリ内のアイコンにアクセスするように構成されたプロセッサとを備え、非アルファベット画像を有するメッセージを入力するように適応された移動装置を提供する。任意選択的に、更新可能なアイコンの少なくとも一部は、固定されたアイコンとは異なる機能カテゴリに属するものとしてプロセッサによってアクセスされる。
【００４８】
したがって、本発明の例示的実施形態では、１０×１０ｃｍより小さいディスプレイと、送信回路と、各グループが異なるカラーマップを利用する少なくとも２つのグループに分割された少なくとも５０個のアイコンの画像を格納するためのメモリと、少なくとも更新可能な１０個のアイコンを格納する更新可能なメモリと、メッセージの一部としてアイコンにアクセスするように構成されたプロセッサとを備え、非アルファベット画像を有するメッセージを入力するように適応された移動装置を提供する。任意選択的に、アイコンは少なくとも４つのグループに分割される。
【００４９】
したがって、本発明の例示的実施形態では、アイコンコードとして少なくとも１００個のアイコンのセットから選択された非言語アイコンを含むメッセージを送信する第１通信装置と、メッセージを受信し、かつ表示のために送信の場合と同じアイコンの少なくとも９０％を使用してメッセージを復号する第２通信装置とを備えた、アイコニック通信システムを提供する。本発明の一部の例示的実施形態では、該システムは、メッセージを通信装置の間で伝達するように適応されたサーバをさらに含む。任意選択的に、サーバは第２通信装置で欠落したアイコン能力をサポートする。
【００５０】
したがって、本発明の例示的実施形態では、移動装置のアイコン表示インタフェースを起動するステップと、起動したインタフェースを用いて、少なくとも３個の連続アイコンを含むメッセージを表示するステップと、３個のアイコンに関連付けられるテキスト名を、少なくとも一時的にアイコンに隣接して表示するステップとを含む、移動通信装置でアイコンメッセージを示す方法を提供する。
【００５１】
したがって、本発明の例示的実施形態では、少なくとも１００個のアイコンを含みその少なくとも１０％が動画化された、移動装置のアイコン入力インタフェースを起動するステップと、起動されたインタフェースを使用して、少なくとも３個の連続アイコンを含むメッセージを入力するステップと、該メッセージをリモート通信装置に送信するステップと、該アイコンを動画化形式でリモート通信装置に表示するステップとを含む、移動通信ネットワークでメッセージを送信する方法を提供する。
【００５２】
したがって、本発明の例示的実施形態では、移動装置のアイコン言語インタフェースを起動するステップと、起動されたインタフェースを使用して、少なくとも１個のアイコンを含むメッセージを入力するステップと、少なくとも１個のアイコンの少なくとも１個に対し動画を定義するステップと、リモート通信装置にメッセージを送信するステップと、リモート通信装置で動画化を実行するステップとを含む、移動通信ネットワークでメッセージを送信する方法を提供する。任意選択的に、動画化はスライドショーを含む。任意選択的に、動画化はアイコンの動きを含む。任意選択的に、動画化はアイコンのサイズ変更を含む。任意選択的に、動画化はアイコンの画像の変化を含む。本発明の一部の例示的実施形態では、該方法は、動画化に関連して音声を定義するステップをさらに含む。
【００５３】
したがって、本発明の例示的実施形態では、移動装置のリッチメディアインタフェースを起動するステップと、起動されたインタフェースを使用して、非テキスト記号の少なくとも１つまたはフォーマット設定コマンドの少なくとも１つを含むメッセージを入力するステップと、入力のＩＤコードを使用して入力を符号化するステップと、メッセージをリモート通信装置に送信するステップと、リモート通信装置でメッセージを実行するステップとを含む、移動通信ネットワークでリッチメディアメッセージを送信する方法を提供する。任意選択的に、非テキスト記号は画像を含む。任意選択的に、非テキスト記号は音声を含む。任意選択的に、フォーマット設定コマンドはテキストフォーマット設定コマンドを含む。
【００５４】
したがって、本発明の例示的実施形態では、少なくとも１つの入力を打ち込むステップと、少なくとも５０個のアイコンの選択から該入力をアイコン表示に自動的に変換するステップと、さらなる打ち込みに応じて該変換を自動的に変更するステップとを含む、アイコン入力の方法を提供する。任意選択的に、打ち込みステップはコードを含む。任意選択的に、変換ステップは意図されたアイコンの推測を含む。任意選択的に、変換ステップはショートカットの表を使用して変換することを含む。任意選択的に、変換ステップは変換キャッシュを使用して変換することを含む。
【００５５】
したがって、本発明の例示的実施形態では、第１言語に精通しておりかつ第２言語に精通していない人間が限定されたアイコンセットを使用してメッセージを入力するステップと、アイコンおよび第２言語を対応させる辞書を使用して、アイコンを第２言語のテキスト記号に自動的に変換するステップとを含む、翻訳の方法を提供する。任意選択的に、入力ステップは移動通信装置に入力することを含む。
【００５６】
したがって、本発明の例示的実施形態では、データ入力方法およびクライアントのディスプレイサイズの少なくとも一方を含むパラメータをサーバが決定するステップと、決定されたパラメータ用に適応されたクライアントのためのアイコン入力および表示アプリケーションを自動的に生成するステップとを含む、適応型クライアント生成の方法を提供する。
【００５７】
したがって、本発明の例示的実施形態では、少なくとも５０の移動通信装置の各々がアイコニックメッセージを送信するステップと、メッセージに対し集約アクション（ａｇｇｒｅｇａｔｅ  ａｃｔｉｏｎ）応答を実行するステップとを含む、集団協力の方法を提供する。任意選択的に、集約アクションは、アイコンを移動装置のソフトウェアに追加することに関する投票としてメッセージを処理することを含む。任意選択的に、集約アクションは、アイコンの意味を移動装置のソフトウェアに追加することに関する投票としてメッセージを処理することを含む。任意選択的に、集約アクションはパブリックディスプレイを生成することを含む。
【００５８】
したがって、本発明の例示的実施形態では、移動装置にアイコンの更新を提供するように適応された少なくとも１つのサーバに接続された少なくとも１０００の移動装置を提供するステップと、アイコンセットの少なくとも５０％の使用頻度が移動装置の間で共通するように強制するステップとを含む、アイコンセットの使用頻度の中央制御の方法を提供する。任意選択的に、強制ステップは、移動装置のアイコンセットを更新することを含む。任意選択的に、強制ステップは、移動装置によるアイコンセットに関する投票を制御することを含む。
【００５９】
したがって、本発明の例示的実施形態では、複数のアイコンであって、その少なくとも１つにそれと正反対のアイコンがあるという指示を含んでいるアイコンを表示するステップと、正反対のアイコンを持つアイコンをユーザが選択するステップと、選択されたアイコンの画像をその正反対のアイコンとトグルするステップとを含む、アイコンを選択する方法を提供する。
図面の簡単な記述
ここで本発明の特定の実施形態を添付の図面に関連して説明する。
図１は、本発明の特定の実施形態に係る移動通信用のアイコニックセットの略構造を示す。
図２および図３は、本発明の特定の実施形態に係る例示的フレーズおよび対話を示す。
図４は、本発明の特定の実施形態に係る、移動装置に組み込むためのコンピュータアプリケーション製品の例示的機能アーキテクチャの一般的ブロック図を示す。
図５は、本発明の特定の実施形態に係る、移動装置に組み込むためのコンピュータアプリケーション製品の例示的機能アーキテクチャおよび前記アプリケーションを含むシステムの一般的ブロック図を示す。
図６〜１０は、本発明の特定の実施形態に係るアイコニックメッセージを作成するための例示的基本スクリーンを概略的に示す。
図１１は、ＳＭＳ通信用に実現される、本発明の特定の実施形態に係るアイコニックメッセージを変換する主要ステップを示す一般的流れ図を示す。
図１２は、本発明の特定の実施形態に係るＳＭＳネットワークを介するアイコニックメッセージに基づく通信の主要ステップを示す一般的流れ図を示す。
図１３Ａ〜１３Ｅは、本発明の例示的実施形態に従って使用するためのアイコンの例示的セットを示す。
【発明を実施するための最良の形態】
【００６０】
概要
セルラ電話機は、例えば音声、テキスト、および／または画像を送信することによって、通信に使用される。本発明の例示的実施形態では、アイコニックセットはセルラ電話機を用いて通信する際に使用するために設けられる。一部の実施形態では、アイコニックセットは、セルラ電話機および／または他の移動通信装置の特定の要求および／または能力に適合するように設計される。
【００６１】
例示的アイコニックセットの構造
図１は、本発明の特定の実施形態に係る移動通信用のアイコニックセットの略構造を示す。
【００６２】
本発明の特定の実施形態では、アイコニックセットは図式化されたグラフィック画像によって表わされる、限定数の原子的構成要素（ａｔｏｍｉｎｃ  ｃｏｎｓｔｉｔｕｅｎｔ）を含み、以下で「セットアイコン」と呼ばれる一方、場合によってはこのセットは言語から形成され、かつ／または言語として機能することができるが、これは本発明の全ての実施形態に不可欠なものではない。セットアイコンは例えば主語、アクション、抽象的概念、感情、および／または他の概念的項目を表わすことができる。セットアイコンは、言語構造（例えばセンテンス、フレーズ等）に類似しているが任意選択的に言語学的規則ではなくむしろ集合意味論に従って構成された構造（以下、「アイコニックメッセージ」）に配列することができる。
【００６３】
本発明の一部の実施形態では、セットアイコンは、文法規則および／または前置詞を使用することなく、アイコニックメッセージに構成される。本発明の一部の実施形態の潜在的な利点は、アイコニックメッセージを作成しかつ／または読み取る個人の能力が、アイコンおよびアイコンのグループに意味を割り当てるプロセスにおける個人の認識能力（一般的に損なわれるか、あるいは特定の言語に対して損なわれるかもしれない言語能力ではなく）に関連付けることができることである。
【００６４】
本発明の一部の実施形態では、アイコニックメッセージは、おそらく対応するテキスト無しに、概念群を伝えることができる。場合によっては、非テキストの意味は強力である。例えば選択されたアイコンおよび／または色を使用してメッセージの雰囲気を設定することができる。本発明の特定の実施形態では、アイコニックメッセージは、任意選択的に自然言語の１つまたはそれ以上のテキストセグメント（例えば文字、数字、単語）をも含む。
【００６５】
図１を参照すると、本発明の特定の実施形態では、セットアイコンは多数のカテゴリ（１１）の下に編成される。これらのカテゴリは例えばセットを学習し、セットを呼び出し、セットのアイコンを入力し、かつ／またはセットを理解するために使用することができる。任意選択的に、関連する意味を持つアイコンは、類似したグラフィックモチーフを有する。例えば人差し指を使用する人のアイコンは指の方向によって「私」、「あなた」、または「彼」を示す。
【００６６】
カテゴリは必ずしも、名詞、動詞等のような言語学的特徴に関係しない。特に、本発明の例示的実施形態では、カテゴリの少なくとも５０％は、それらの意味に基づいて、アクション、関係、および名詞に属するとみなされる項目を含む。
【００６７】
各セットカテゴリは少なくとも１つのセットアイコンを含むが、１セットアイコンを１つまたはそれ以上のカテゴリに直接または間接的に分類することができる。例えば曖昧なアイコンおよび／または一般的に使用されるアイコンは、２つ以上のカテゴリに属する。そのような複数のカテゴリ分類は、入力を容易にするため、かつ／またはアイコンがアイコニックセットで複数の用途および／または意味を有するためである。別の実施例で、電話機のアイコンは、装置を表わすため、かつ通信の概念を表わすために使用することができる。例えば、アイコン「キス」はカテゴリ「アクション」および「事物」に存在することができる。本発明の特定の実施形態では、アイコニックメッセージにおけるセットアイコンの意味は、カテゴリ（および／またはサブカテゴリ）に依存しない。本発明の他の実施形態では、上位の階層はアイコンの意味に影響を及ぼすことがある。１例として、アイコン「キス」は「キス」を意味することができ、あるいはそれは「キスを送る」（例えば好意）を意味することができる。任意選択的に、（例えばターゲット装置における）アイコンの実際の形状は、たとえ送信者の装置では視覚的差別化が行なわれない場合でも、選択方法に依存するかもしれない。代替的に、または追加的に、選択方法は、（下述の通り）アイコンおよび／またはその翻訳に関連して示されるテキスト名を変化させることがある。同じアイコンを様々な仕方で使用することができることに留意されたい。例えば「車」はアクション（運転）および場所／物体の両方が可能である。
【００６８】
入力されかつ／または送信されたメッセージに、厳密にはアイコンでない項目、例えば下述するように例えば表示命令が含まれることがあることに留意されたい。
【００６９】
それぞれのアイコニックカテゴリに分類されたセットアイコンを以下で、第１レベルセットアイコン（１１１、１１５、１１６）と呼ぶ。カテゴリは、代替的にまたは追加的に、１つまたはそれ以上のセットアイコンを含む１つまたはそれ以上のサブカテゴリ（１１２）を持つことができる。それぞれのサブカテゴリに分類されたセットアイコンを以下で、第２レベルセットアイコン（１１３、１１４、１１７）と呼ぶ。本発明の特定の実施形態では、アイコニックカテゴリは２層またはそれ以上の階層的に関連するアイコニックサブカテゴリを含むことができるが、これは一部の実施形態では、あるいはアイコンの大部分にとって望ましくないかもしれない。任意選択的に、アイコニックカテゴリは第１および第２レベルのセットアイコンを同時に含む。
【００７０】
本発明の例示的実施形態では、アイコニックカテゴリおよび／またはサブカテゴリは、以下でそれぞれカテゴリ記号およびサブカテゴリ記号と呼ぶ関連グラフィック画像を有することができる。場合によっては、同じグラフィック画像がセットアイコンとして、例えばその下位に置かれたセットアイコンのために、使用されることもある。場合によっては、メッセージはカテゴリまたはサブカテゴリを、メッセージの一部でセットアイコンとして使用することができる。
【００７１】
下述の通り、セットアイコンおよび／またはカテゴリは、例えば異なるユーザまたは同一ユーザが使用するために、それに関連付けられる複数のグラフィック画像を持つことができる。画像は同じ意味を持ち、かつ／または同じ名前に関連付けることができる。
【００７２】
本発明の例示的実施形態では、使用中に、セットアイコンの中には（例えば愛する、知る、必要がある、などの気持ちおよび心理的作用や、多くの、非常に、等のような数量および特徴の程度に関連するもの）繰り返すことによってそれらの意味を強化するものがある。正反対の意味または関連する意味を持つセットアイコンの中には（例えば、愛する／「愛さない」、行く／「行かない」、常に／決してない、はい／いいえ、どうぞお願い／感謝して、等）、対としてグループ化されるものがあり、対は関連セットアイコン（１１４、１１５、各々がアイコンの対として示される）を持つことができる。本発明の例示的実施形態では、そのような対はディスプレイで単一の空間だけを占有し、必要に応じてトグルされる。
【００７３】
本発明の例示的実施形態では、アイコニックセットは、感情、余暇、自己、および／または主題／概念の他のカテゴリに関連するアイコンに相対的に偏るように設計される。本発明の例示的実施形態では、これは、十代の若者の間の通信等の一部の用途の場合、内容の主要な部分が限定数の分野に関連するという前提に基づく。
【００７４】
本発明の特定の実施形態では、セットアイコンは関連する名前、またはアイコンをユーザに説明する幾つかの名前を持つことができる。一部の実施形態では、セットアイコンは、関連する名前以上の意味および関連付けを持つことができることに留意されたい。セットアイコンは、ラテン語、キリル文字、象形文字、表意文字、および／または音声学的言語等の異なる自然言語では異なる名前を持つことができる。本発明の例示的実施形態では、異なる名前はオペレータに基づいて、かつ／または（例えばローミングのための）当初の電話機の設定に基づいて提供される。任意選択的に、アイコンは例えば文化的文脈に基づいて変化する。バスの概念の場合の特定の例では、ロンドンでは２階建てバスのアイコンが示され、ニューヨークでは、１階建てのバスが示される。
【００７５】
本発明の例示的実施形態では、セットアイコンは、個人化された外観を持つことができる。例えば同一アイコンが、異なるユーザ、ユーザグループ、および／または文化の場合に異なる画像を持つ。１例として、米国における「幸運」のグラフィック画像は、スロットマシンから出てくる金であり、中国では龍である。
【００７６】
以下の表１は、カテゴリおよびサブカテゴリ別に編成されたアイコニックセットの特定の実現を示す。ＩＤ欄はアイコンの番号を示す。
【００７７】
カテゴリＩＤは、アイコンがどのカテゴリ（例えばアイコンＩＤ）に関連付けられるかを示す。「０」はそれが最上位のカテゴリであることを意味する。
【００７８】
型は、アイコンが「カテゴリ」、「葉」、または「特殊」であるかどうかを示す。「特殊」アイコンは、相補的または正反対の意味のアイコンを有する。
【００７９】
位置は、スクリーンで３×３のマトリックスのアイコンの電話機のキーボード配列における位置である。任意選択的に、「１」の位置は、否定をサポートするために、「Ｘ」（または他の記号）を（例えばカテゴリＩＤに応じて）ルート特殊アイコンの上に重ねて置かなければならないことを意味する。一部の実施形態では、例えば特殊アイコンの場合、位置は、（「Ｘ」マークではなく）画像をそこから得るための特殊アイコンシートにおける位置を示す。他の負数は、他のオーバレイのために使用することができる。
【００８０】
名前は、アイコンに関連付けられ、ときには任意選択的にアイコンからの１画素の離間距離を置いて高さ５画素のテキストとしてそれと一緒に表示されるテキストである。それは、アイコンの上に重ねて置くこともできる。名前の印字幅は任意選択的にアイコンの幅に制限される。任意選択的に、名前は、名前用に指定されたスクリーンの領域に整合するように選択される。一部の実施形態では、「＋」は、アイコンが「カテゴリ」および「葉」の両方として機能することを示す。アイコンの中には名前を持たないものがある。名前は任意選択的に、通常のメッセージングの一部として、送信者から受信者へアイコンと共に送信されない。任意選択的に、複数の意味が関連付けられる場合、少数（例えば１、２、３）のビット数を使用して、意味のリスト中のどの意味を受信者が割り当てるべきかを指摘することができる。表に提示されたファイル名は、そのようなアイコンを図１３に関連付けるのに役立てることができる。実際のクライアントで、アイコンは任意選択的に、別個のファイルに構成されない。
【００８１】
幅は画素単位のアイコンの実際の幅であり、アイコンをセンタリングするために使用することができる。この例では、高さは一般的に３２画素である（３２×３２画素のアイコン表示の場合）。
【００８２】
図１３Ａ〜Ｅは、次の表と一般的に整合するアイコンの例示的セットを示す。
2008527563.tif 000003
2008527563.tif 000004
2008527563.tif 000005
2008527563.tif 000006
2008527563.tif 000007
2008527563.tif 000008
【００８３】
本発明の例示的実施形態では、スクリーン上のアイコンの位置は、好適なデータ入力方法に依存する。例えば、スクローリングに基づくデータ入力方法の場合、最も一般的に使用されるアイコンは任意選択的に、その親カテゴリの位置の下、またはスクリーン上のデフォルト位置（例えば中央）に配置される。キーマッピングに基づく入力の場合、最も一般的に使用されるアイコンは好ましくは、ダブルクリックによりそのキーを選択できるように、その親カテゴリを選択するのに使用したのと同じキーにマッピングされる。
【００８４】
本発明の例示的実施形態では、カテゴリ／サブカテゴリ用のアイコンは、下のレベルで最も一般的に使用されるように、または最も適切なもの、もしくはスクリーン上で同時に使用されることが予想される他のアイコンとは著しい違いを持つものとなるように選択される。
【００８５】
図２は、本発明の実施形態ならびに表１（および図１３）に示したセットアイコンに係る例示的対話を示す。対話は幾つかのアイコニックメッセージ（図の左側）およびそれらの英語（日本語）への有望な翻訳（図の右側）を含む。図３は同様の仕方で、本発明の実施形態ならびに１組のアイコンに係る別の例示的対話を示し、ここでは短いテキストセグメント「ジョー」が対話の一部と使用されている。
【００８６】
移動装置
本発明の例示的実施形態では、アイコンセットは、比較的小さいスクリーンおよび比較的少数の入力キーを特徴とする移動装置で使用される。しかし、本発明の実施形態を使用することのできる一部の移動装置および／または他の装置は、スクリーンサイズおよび／またはキーボードが制限されない。本発明の例示的実施形態では、キーの数は７０未満、２０未満、または中間数であり、スクリーンサイズは１０×１０ｃｍ未満、６×６ｃｍ未満、または中間数である。本発明の例示的実施形態では、かなり小さいスクリーンサイズ、例えば３×３ｃｍのスクリーンサイズがサポートされる。本発明の例示的実施形態では、スクリーンは、１辺が少なくとも８画素または少なくとも１６画素の解像度で、３×３マトリックスのアイコンを示すのに充分大きい。スクリーン解像度は任意選択的に５００×５００未満、２００×２００未満、１００×１００未満、またはそれより小さいか中間サイズである。本発明の一部の実施形態では、非矩形スクリーンとすることができ、スクリーンの形状は、例えばメッセージのための新しいアイコンが選択されるときにメッセージを表示するか否かを決定することができる。
【００８７】
本発明の例示的実施形態では、アイコン解像度（例えばサイズおよび／または色）は、ターゲット装置に応じて変更される。任意選択的に、送信者はターゲット装置の有効メッセージサイズを見ることができる。任意選択的に、ターゲット装置に関する情報は、コンタクトリストに格納されるか、あるいはサーバによって提供される。任意選択的に、メッセージは、送信者が送信を確認する前に、ターゲットで受信して送信者によりプレビューすることができるものに変更するために、サーバに送信することができる。任意選択的に、アイコンは、例えば１６×１６、３２×３２、および４８×４８のうちの１つまたはそれ以上を含め、幾つかのサイズに、かつ／または幾つかの色で、例えば白黒、グレースケール、低解像（ｌｏｗ−ｒｅｓ）色および高解像（ｈｉ−ｒｅｓ）色の１つまたはそれ以上で描くことができる。任意選択的に、アイコンサイズはメッセージ内で、または表示能力に応じて変更することができる。
【００８８】
本発明の実施に際して、より小さいスクリーンを利用することができることに留意されたい。１例では、例えば時計に単一アイコンディスプレイが設けられる。アイコンは任意選択的に順次示される。代替的に、平滑なスクローリングがもたらされる。場合によっては、例えばディスプレイが非グラフィックであるときには、アイコンＩＤおよび／または名前を表示することができる。代替的に、または追加的に、アイコンを表示することができるが、選択はキー入力または非グラフィックメニューによる。
【００８９】
本発明の例示的実施形態では、限定された入力が使用される。例えばわずか２つの異なる入力キーを、１つは新しい項目を選択するために、１つはメニューツリーを移動するために、使用することができる。ひとたび葉に到達すると、それが選択される。任意選択的に、より多数の入力キー、例えば「消去」および「戻る」が設けられる。
【００９０】
任意選択的に、アイコンメニューは、ユーザがメニューからアイコンを選択し、かつ次いでアイコンの代わりに、またはアイコンに加えて、テキストおよび／または音声を選択することによって、テキストメッセージを送信するために使用される。
【００９１】
セットの簡素化および構造のための例示的考慮事項
アイコンセットは様々な方法で生成かつ／または使用することができる。本発明の例示的実施形態では、アイコンセットは概念を提示するために使用され、その幾つかは文化的または個人的な意味を持つことができ、かつその幾つかは文化横断的な意味を持つことがある。本発明の一部の実施形態では、アイコンセットは既存の言語、例えば英語または中国語の制約された形を反映する。中国語の場合、既存の象形文字を任意選択的に装飾および／または着色して、アイコンとして使用することができる。しかし任意選択的に、言語で象形文字として見つからないアイコンが使用される。英語の場合、アイコンは任意選択的に、その文化的意味に整合するように選択される。
【００９２】
本発明の例示的実施形態では、アイコンセットはピジン言語の複雑性および／または他の特性を有する。
【００９３】
本発明の一部の実施形態では、アイコンセットは限定されたアルファベットまたはヒエログリフとして役立ち、それは言語の様々な単語を書くことを可能にするが、言語の大部分、例えば言語の名詞、動詞、および／または形容詞の少なくとも９０％、または少なくとも７０％もしくは８０％は書くことができないので、限定的である。
【００９４】
以下は規則のリストであり、そのうちの１つまたはそれ以上が任意選択的に、限定的な通信のためにアイコンセットを削減しかつ／または構成するために使用される。記載の通り、該規則および／または編成方法は、中国語ならびに表意文字および／または象形文字を使用する言語等の既存の言語を簡素化するために使用することもできる。
【００９５】
（ａ）中核概念を識別し、そのような概念をセットに含める。
【００９６】
（ｂ）意味空間を厳密にカバーする概念を選択する。任意選択的に、例えば十代の若者の間のＳＭＳ通信で使用されるような通信でより重要な領域に対し、余分な概念（例えばより高い密度）が選択される。下述の通り、本発明の例示的実施形態では、セットは特に、人々の間の調整、および／または会合の調整に役立つことのできる人々、場所および／または時間に関連するアイコンを含む。１つの特定の例は、会合を調整するために使用されるアイコン「すぐに」である。
【００９７】
（ｃ）中核概念は、例えば５から２０の間、例えば１３未満の比較的少数のカテゴリに配列される。任意選択的に、９つの概念カテゴリが使用され、各概念カテゴリがその中に９つの概念および／またはサブカテゴリを有するように、（人間が作業メモリ内の７＋２個の項目しか呼び出せないという）７＋２の規則に従う。これはセットの構造を思い出すのを助け、かつ／またはスクリーンで概念を検索するのに役立つ。場合によっては、個人的概念／アイコンを別個のカテゴリとして設けることができる。
【００９８】
（ｄ）少なくとも幾つかの中核概念は、概念が自立することができ（例えば家族）、かつより明確に指定することもできるように（例えば父親）、階層的に配列される。任意選択的に、同じアイコンが概念に対し、かつその具体的な例の１つに対しても使用される。
【００９９】
（ｅ）指差し、感情、および両手で大きさを示すことなど、身体の部分および／または身体言語に従うように中核概念および／またはそれらのアイコンを選択する。
【０１００】
（ｆ）例えばセットに提供されていない概念および詳細をサポートするために、エスケープ機構つまりテキスト記号文字列を提供する。そのような記号は、曖昧さを軽減するために使用することもできる。
【０１０１】
（ｇ）例えば時間、性別、社会的地位、複数形標識、不変化詞、句読点（省略符号、ハイフン、コンマ、セミコロン）、および／または関係語を使用して、単語または文の一部分を連結することによって曖昧さを除去する、１つまたはそれ以上の文法構造の全部または一部（例えば少なくとも５０％）を除去する。
【０１０２】
（ｈ）時間標識の別個のセットを使用して時間の指摘を提供する。
【０１０３】
（ｉ）反復（例えばママ  ママ＞祖母）または別個の量標識を使用する複数形標識を提供する。
【０１０４】
（ｊ）結果として得られる動詞は活用を必要としない。任意選択的に、そのような動詞は、名詞および修飾語として使用することもできる概念として使用される。
【０１０５】
（ｋ）形式「ＸアクションＹ」の記述をサポートする概念に重点的に取り組む。これは、それにより複雑なセンテンスを構成することができないように、セットを簡素化することにも関連する。本発明の例示的実施形態では、アイコンは、主語、アクション、およびアクションの受入れを含むようにセンテンスを形成することができるように選択される。しかし、任意選択的に、実際に構成された多くのメッセージはこの形式を取らず、かつ／またはこの順序を取らない。
【０１０６】
（ｌ）通信における曖昧さを通常除去する充分なツールを回避／低減することによって、文法的に正しくないセンテンスが生成される可能性はかなり低減または否定される。これは、曖昧さと文法との間のトレードオフが様々であり、曖昧さを所望の程度に低減するように、より複雑な文法が提供される典型的な言語とは一般的に異なるトレードオフである。
【０１０７】
（ｍ）アイコンと共に使用するために選択される名前は任意選択的にできるだけ広義になるように選択される。例えば、別個の「何」および「なぜ」の概念の代わりの概念として「クエリ」が選択される。本書に記載する通り、休み無く例を提供することにより、ユーザは広い意味で概念について教育を受けることができる。例えば、単一のアイコンに対し複数の交互に交代する名前を表示することができる。
【０１０８】
（ｎ）概念の名前は、セットの非標準的側面を強調するように選択される。例えば、おそらく正しいセンテンスを形成しない名前を選択する。１例として、「私は（Ｉ）」、「しない（ｄｏｎ’ｔ）」「欲しい（ｗａｎｔ）」とする代わりに、「私に（ｍｅ）」、「無い（ｎｏ）」、「欲しい（ｗａｎｔ）」とする。これは部分的には、活用を低減した直接的な結果であるが、読み手／書き手の注意を文法ではなく、概念に集中させるのに役立てることができる。
【０１０９】
本発明の例示的実施形態では、次のカテゴリの１つ、２つ、３つ、４つ、またはそれ以上を使用する。使用法に応じて、サブカテゴリをカテゴリに引き上げることができ、かつその逆に、即座に表示されるカテゴリの数および／または各カテゴリからのアイコンの相対的使用頻度に応じて、任意選択的にカテゴリがサブカテゴリに変換されることに留意されたい。
（ａ）感情
（ｂ）人々
（ｃ）時間
（ｄ）自己（および部分）
（ｅ）基本的アクション−食べるおよびキスするなどの日常かつ／または感情に関連するアクション
（ｆ）一般的な場所（家、学校）
（ｇ）心理的（ありがとう、欲しい、できる、希望、停止／行く）、
（ｈ）雑（任意選択的に言語部分および修飾語を含む）
（ｉ）記述子（大きい、小さい、醜い）
（ｊ）動物
（ｋ）余暇活動
（ｌ）動く物
（ｍ）プライベート（人体のプライベートな部分を示唆するアイコン）ならびに／または
（ｎ）ユーザ定義カテゴリ
【０１１０】
本発明の例示的実施形態では、少数のアイコンが使用される。例えば２５６個未満のアイコンが、アイコン通信で使用されるアイコンの８０％、９０％、またはそれ以上をカバーする。２００個、１００個、または中間数のようなより小さいセットを使用することもできる。
【０１１１】
本発明の例示的実施形態では、アイコン使用頻度のこれらおよび／または他の統計的定義は、メッセージの適度に大きいセットに対して定義される。場合によっては、そのような統計は、単一のユーザまたはサーバに対して、かつ／または期間に対して、例えば１０００個、１００００個、もしくはそれ以上のメッセージで、かつ／または２０分、１時間、もしくは３０日以内で定義することができる。
【０１１２】
本発明の例示的実施形態では、アイコンは比較的低いスクリーン解像度、例えば３２×３２画素を持つように選択される。
【０１１３】
メッセージ入力例
所望のセットアイコンを選択し、アイコニックメッセージを作成する例示的プロセスを、図６〜１０にさらに示す。この実施例では、セットアイコンの選択は、カテゴリの選択を通して促進される。特別なショートカット、例えば次のうちの１つまたはそれ以上を実現することができる。
（ａ）アイコンを二重にする（例えばカーソルが編集ストリップにある間にスクロールジョイスティックを短く押す）
（ｂ）１対のアイコン内の１つのアイコンを選択する（例えば短いクリックを使用して対のアイコン間をトグルする）
（ｃ）フレーズアイコンの終了（例えば「＊」キーを押すことによって、複数の句読点の間で選択する）
【０１１４】
選択の方法は任意選択的に、「選択」のためのキー、「サイクル」または「否定」のためのキー、および／または意味を示すキーのうちの１つまたはそれ以上を含む。他の一般的な動作もまた、特別なキーまたは他のショートカットを持つことができる（例えばキーを押しながらジョイスティックを押し上げる）。
【０１１５】
本発明の特定の実施形態では、同時に表示されるカテゴリ記号の個数は、移動装置の入力インタフェースの入力キーの個数以下であり、各表示カテゴリは１対１の対応で入力キーに関連付けられる。任意選択的に、スクリーンは視覚的に整合した状態で入力キーにマップされ、スクリーンのレイアウトは使用する入力キーのレイアウトにマップされる。一部の実施形態では、カテゴリ記号の総数は入力キーの数を超えることができ、ユーザは、表示されたナビゲーションコマンドの助けを借りて、または／かつ入力インタフェースのナビゲーションキーの助けを借りて、所望のカテゴリ記号までスクロールすることができる。代替的に、または追加的に、「０」キー等の幾つかのキーは、ディスプレイコミュニティ（例えばグループ）またはプライベートアイコン／カテゴリ（例えばキャッシュ）に割り当てられる。代替的に、または追加的に、複数のクリックまたは長いクリックを使用すると、同じキーを使用して異なるカテゴリを選択することができる。これは、例えば同一カテゴリに関連する２セットのアイコンの間で選択するのに（例えば短いクリックは第１セットであり、前のクリックの直後のクリックは「次のセット」を意味する）、あるいは単一のキーに複数のカテゴリのマッピングを提供するのに、役立つかもしれない。そのようなマッピングは、サブカテゴリをカテゴリのレベルに引き上げるために使用することができる。例えば、「余暇」および「学校」のサブカテゴリを持つ「様々な」を、「我々が行なうこと」のプレースホルダと置き換えると、例えば「学校」と「余暇」との間でトグルする（例えば手動的または自動的に）ことができる。
【０１１６】
図６ないし１０は、非限定的な実施例として、本発明の特定の実施形態に係るメッセージ作成プロセスの例示的スクリーンを順次かつ概略的に示す。該プロセスは、図面には示されていないナビゲーション、制御、および／または編集コマンドを含むこともできる。本発明の例示的実施形態では、編集スクリーンは同様の外見および論理を有し、提示されるコマンドによって異なっていてよい。特に、入力途中のメッセージは、新しいアイコンを選択している間、例えば利用可能なスクリーン空間および／またはアイコンサイズに応じて得られてよく、または得られなくてもよい。
【０１１７】
図示されたスクリーンは全て、ユーザによって入力インタフェースを介して開始され、かつ、図４で説明した通りアプリケーションモジュールに結合されたプロセッサと共に、移動装置の入力インタフェースおよびディスプレイに機能的に関連付けられるユーザインタフェースによって容易化された、結果を表示する。
【０１１８】
図６Ａは、カテゴリ記号を表わす作成スクリーンの初期画面を提示する。本発明の特定の実施形態では、同時に表示されるカテゴリ記号の数は移動装置の入力インタフェースにある入力キーの数を超えず、表示される各カテゴリは、１対１の対応で入力キーに関連付けられる。図示した実施例では、同時に表示されるカテゴリの数は、９（キーの個数）に限定される。特定のユーザインタフェースボタンを、「レベルアップ」および「レベルダウン／選択」機能に使用することができる。代替的に、または追加的に、スクロールボタンまたはジョイスティックがそのような機能に使用される。
【０１１９】
任意選択的に、タッチスクリーン、ペンインタフェース、および／または他のユーザインタフェース機構が、アイコン／カテゴリを選択するために使用される。任意選択的に、表示されるアイコンの数は、キーの数ではなくスクリーンによって限定される。
【０１２０】
任意選択的に、カテゴリ記号および／または同時に利用可能なセットアイコンの総数は、入力キーの個数を超えることができる。任意選択的に、ユーザは、表示されたナビゲーションコマンドの助けを借りて、または／かつ入力インタフェースのナビゲーションキー（もしくはジョイスティック）の助けを借りて、所望のカテゴリ記号をスクロールすることができる。任意選択的に、スクリーンがスクロールするにつれて、キーはアイコン／カテゴリに再割当される。
【０１２１】
代替的な入力方法では、ジョイスティックまたはスクロールキーは、アイコン／カテゴリの間で「選択」標識（例えばフレームまたはブラケット）をスクロールするために使用される。選択は任意選択的に、適切なキーを押すことによって、かつ／または待つことによって行なわれる。一部の実施形態では、「選択」標識は永久的であり、アイコンセットは標識に特定の項目をカバーさせるためにスクロールされる。一部の実施形態では、視覚的標識ではなく、現在選択されているアイコンのサイズ、色、および／または他の表示属性を変更することによって、指摘が提供される。
【０１２２】
本発明の例示的実施形態では、アイコンは複数のサイズおよび／または品質で提供される。用途によっては、アイコンは低い解像度および／または品質で示され、特定のアイコンが選択されたときに、そのアイコンはサイズ／解像度を増大する。これは、ユーザがコンテンツに精通していると予想されるスクリーンに使用することができ、低解像度のアイコンはリマインダとして働く。小さいアイコンが記憶術として働くインタフェースの１例はメニューである（ユーザが何も選択しない場合、それは任意選択的にアイコンを拡大させる）。別の例として、ユーザが作成したばかりのメッセージがある。アイコンサイズ変更のこの機構は、例えばアイコンの線形表示および２次元表示に使用することができる。
【０１２３】
本発明の特定の実施形態では、ユーザは、最も頻繁に使用されるカテゴリおよび／またはアイコン記号を表示するように作成スクリーンを構成することができる。本発明の特定の実施形態では、使用頻度に適合するディスプレイ構成がデフォルトによって提供され、かつ／または、例えばユーザの経験および／または他のユーザに基づいて、アプリケーションによって（常時または定期的に）更新される。任意選択的に、ユーザはディスプレイの構成の変更を受け入れるオプションを有する。
【０１２４】
カテゴリ記号の選択は、グラフィック画像の次の階層の提示を導く。
【０１２５】
図６Ｂは、カテゴリ＃３の選択後の作成スクリーンの画面を提供する。ここで次の階層は（図示した事例では）従属するサブカテゴリを持たず、第１レベルのセットアイコンだけを含む。
【０１２６】
本発明の特定の実施形態では、メッセージの作成または編集を表わすメッセージ領域（スクリーンの上部に示される）は、例えばユーザの利便性の考慮（例えば利用可能なディスプレイ領域）および／または設定に応じて、全てのスクリーンまたは一部のスクリーンに提示することができる。メッセージ領域に指定されるスクリーンの座標（サイズを含む）は、例えばユーザおよび／またはサービスプロバイダの好みに従って、かつ／または利用可能な空間の活用能力および／または必要性に従って、例えば異種または同種の移動装置モデルで任意選択的に異なる。本発明の例示的実施形態では、装置からディスプレイサイズを読み出すために（例えば移動装置の）ソフトウェアが使用される。代替的に、ユーザがその好みに従ってディスプレイ設定を定める。
【０１２７】
図６Ｃ（および図７Ａに示す同じスクリーン）は、ユーザがセットアイコン＃４を（カテゴリ＃３から）選択した後のカテゴリ記号およびメッセージ領域を表わす作成スクリーンの画面を提示する。
【０１２８】
セットアイコンを選択すると（どのスクリーンでも）任意選択的に、アイコニックメッセージの一部としてメッセージ領域にそれが表示される。任意選択的に、アイコンが指摘かつ／または選択されたときに、アイコンに関連付けられた音声、例えば発話要素が発生する。代替的に、または追加的に、そのようなアイコンに対してアイコンの動画が提供される。セットアイコンを順次選択すると任意選択的に、アイコニックメッセージ内に順次表示される。任意選択的に、ユーザがメッセージを編集し、例えばメッセージ内のアイコンを削除、挿入、かつ／または移動することを可能にするために、移動キーまたはスクロール機構が設けられる。任意選択的に、編集は別個のモードで行なわれる。
【０１２９】
図７Ｂは、カテゴリ＃８の選択後の作成スクリーンの画面を提示する。ここで、次の階層は（図示した事例では）従属するサブカテゴリのみならず、第１レベルのセットアイコンをも含む。サブカテゴリ記号（＃１）を選択すると、図７Ｃに示すようにグラフィック画像の次の階層つまり第２レベルのセットアイコンが表示される。図７Ｄ（同じスクリーンが図８Ａに示されている）は、（カテゴリ＃８に従属するサブカテゴリ＃１からの）セットアイコン＃２のユーザ選択後のカテゴリ記号およびメッセージ領域を表わす作成スクリーンの画面を提示する。
【０１３０】
上述の通り、本発明の例示的実施形態では、同時に表示されるグラフィック画像（カテゴリ記号、サブカテゴリ記号、セットアイコン、またはそれらの組合せ）の個数は、移動装置の入力インタフェースの入力キーの個数を超えず、各々の同時に表示されるグラフィック画像は１対１の対応で入力キーに関連付けられる。図示した実施例では、同時に表示されるグラフィック画像の個数は９に限定され、それらの各々が１から９までの英数字キーにそれぞれ関連付けられる。
【０１３１】
一部の実施形態では、同時に表示されるグラフィック画像の総数は、入力キーの個数を超えることができる。任意選択的に、ユーザは、表示されるナビゲーションコマンドの助けを借りて、または／かつ入力インタフェースのナビゲーションキーの助けを借りて、所望の画像（例えば記号またはセットアイコン）までスクロールする。本発明の特定の実施形態では、ユーザは、最も多く使用される記号およびアイコンを表示するように、形成スクリーンを構成することができる。本発明の特定の実施形態では、この構成は、アプリケーションによって提供され、常時かつ／または定期的に更新されるようにすることができる。任意選択的に、ディスプレイ構成を更新するためにはユーザの承認が要求される。
【０１３２】
アイコンは、使用速度を高めるように配列することができる。例えば、サブカテゴリの主アイコンをその母アイコンと同じ位置に置くことにより、ユーザはダブルクリックを使用してそのようなアイコンを選択することが可能になる（例えば「母」は「家族」と同じアイコン画像である）。別のオプションは、「＊」、「？」、および「！」（例えば句読点）等の同じ一般的使用に属する数個の選択肢から正しいアイコンを選択するために、キーをトグルすることである。
【０１３３】
図８Ｂは、「テキストセグメント」オプションの選択後の形成スクリーンの画面を提示する。「テキストセグメント」オプションは、指定されたキー（例えば図示した事例では「＃」キー）の助けを借りて、または管理コマンドの助けを借りて、起動させ、また、終了させることができる。スクリーンは、移動装置によって容易化される方法でテキストを書き込みかつ編集するためのテキストボックスを含むことができる（図８Ｃ）。本発明の特定の実施形態では、テキストボックスはスクリーン全体を占めることができる一方、他の実施形態では、テキストボックスのサイズおよび配置をカスタマイズすることができる。テキストセグメントはさらに、図８Ｄに示すようにアイコニックメッセージに組み込むことができる。テキストセグメントは日付および時刻を含むことができる。「時刻＆日付の挿入」オプションの起動は同様の仕方で達成され、ユーザが指定されたフォーマットで時刻および／または日付を挿入することを可能にする。
【０１３４】
テキストセグメントは、文字、数字、単語、句読点等の任意のテキスト要素を含むことができ、アイコニックメッセージ内の任意の場所に、例えばセットアイコンの前、間、および／または後に、配置することができる。
【０１３５】
メッセージ領域のサイズ、セットアイコンおよびフォントのみならず、ユーザの好みによっても、テキストセグメントは１行に、またはラップして（例えば図９Ａに示すように２行に）表示することができ、アイコニックメッセージのセットアイコンは短縮することができ、あるいはメッセージを（スクロール機能により）部分的に表示することができる。
【０１３６】
本発明の例示的実施形態では、アイコンメッセージは変動長とすることができ、例えば１アイコン、３アイコン超、１０アイコン超、３０アイコン超、または中間数とすることができる。場合によっては、例えばＳＭＳメッセージのように、単一メッセージの長さを限定することができる。任意選択的に、長さの制限を克服するために、連鎖メッセージが使用される。
【０１３７】
任意選択的に、１つまたはそれ以上のテキスト属性を、例えば一般設定、メッセージの設定、テキストセクションの設定、および／またはテキスト記号の設定を、ユーザが定めることができる。任意選択的に、設定は、送信時に属性設定コードまたはコードのストリームをメッセージのデータストリームで送信することによって実現される。任意選択的に、設定は次の方法の１つまたはそれ以上を使用して、すなわち選択されたテキストに、または次に入力されるテキストのために、または今入力したばかりのテキストのために、ユーザによって適用される。
【０１３８】
本発明の例示的実施形態では、テキスト記号およびセットアイコンは、例えばフォントタイプ、サイズ、色、明滅、位置、動画、および／または本書に記載する他の効果の１つまたはそれ以上を含め、属性の同じセットまたは重複するセットによって修飾可能である。本発明の例示的実施形態では、セットアイコンおよび／またはアイコニックメッセージを動的にサイズ変更するために、スケーリング因子が指定される。任意選択的に、該因子はアイコニックメッセージの作成および／または編集中に提供される。任意選択的に、そのような因子は作成および／または編集中に、例えば現在編集中のアイコンを強調するために使用される。
【０１３９】
任意選択的に、属性を使用するテキストレンダリングは、ターゲット装置に事前に格納されたフォントに基づく。代替的に、サポートされないアイコンに対して本書で示唆する等の他の方法を使用する。特に、フォーマット設定の解釈はターゲット装置に任せることができる。例えば局所的に好まれるカラーセット、明滅速度、および／または（例えばターゲットディスプレイサイズに対して相対的な）サイズに応じて、色が変更される。
【０１４０】
本発明の例示的実施形態では、アイコン対テキストの比率は比較的大きい。例えば１０００個の記号を含む１セットのメッセージ全体で、記号の少なくとも５０％、少なくとも７０％、少なくとも９０％、少なくとも９５％、またはそれ以下またはそれ以上もしくは中間の百分率が、テキスト記号ではなく、アイコンであることが予想される。任意選択的に、テキストセグメントは特殊な「開始」および「終了」記号によって区切られる。代替的に、記号および長さカウンタを使用することができる。代替的に、標準的記号デリミタをテキストシーケンスの後に提供することができる。代替的に、または追加的に、アイコンセットはアイコンの一部として文字を含むことができる。
【０１４１】
アイコン交互セット、対、および組合せ
図９Ｂは、セットアイコンの幾つかが対としてグループ化され、各対が、図示した事例におけるセットアイコン６−８のように、関連付けられたセットアイコン（Ｐ２型）を有する事例を示す。このセットアイコンを選択すると、この対に含まれる両方のセットアイコンを表示することができる（図９Ｃ）。本発明の特定の実施形態では、アイコンの一方をデフォルトセットアイコンとして構成することができ、ユーザが特定の時間内に他方を選択しなければ、それが自動的に選択される。本発明の一部の実施形態では、対のうちのデフォルトアイコンだけを提示することができ、他方のアイコンは、（例えば「対」のセットアイコンに関連付けられた入力キーを２回押すことによって）さらに選択することができる。図９Ｄに示す特定の実施形態では、対の第１アイコンの選択は、「０」を押すか、待つことによって達成することができ、対からの第２アイコンの選択は、再び「８」を押し、次いで「０」を押すか待つことによって達成することができる。
【０１４２】
１例は、対として設けられ、それらの間でトグルすることのできる、「愛」／「憎悪」等の正反対の意味である。別の例は、３つ以上の交互の句読記号のセットとして設けることのできる句読点である。
【０１４３】
図１０（Ａ〜Ｄ）は、セットアイコンの一部が対として設けられ、例えば対の第２アイコンが第１アイコンと「ＮＯ」アイコンとの組合せ（Ｐ１型）である事例を示す。これらの対は、対に関連付けられた特別なアイコンを持たず、特殊なマークが付けられた第１アイコン（図示した事例の６−９）は対アイコンとして表示される。そのようなアイコンの選択後（図１０Ｃ）に、ユーザは、例えば同じ入力キーを再度押して待つことによって、正反対の意味のアイコンを選択することができる。
【０１４４】
一部の実施形態では、１つまたはそれ以上のアイコンが「ｎｏｔ」等の修飾詞アイコンとして指定され、例えばダブルクリックすることによって、既存のアイコンの上に、例えば前に入力したアイコンの上に（例えば重ねて）適用することができる。別の種類の修飾詞アイコンは、位置をずらして２つのアイコンを重ね合わせることによって動作する。例えば「母」アイコンが３画素またはそれ以上偏位して「父」アイコンと重なる。
【０１４５】
本発明の例示的実施形態では、幾つかのアイコン対（またはより大きい集合）は、順次提供されるときに、視覚的に異なるように予め定義される。例えば、「私に（ｍｅ）」の後に続く「あなた（ｙｏｕ）」は、手をつなぐ２つのアイコンによって図形的に表わすことができる。
【０１４６】
本発明の例示的実施形態では、テキスト記号をアイコン内に流入させることができる。例えばテキスト記号「２」が「行く（ｇｏ）」の後に提供されたときに、記号間の空間は縮小される。任意選択的に、アイコン−テキストの組合せが新しい意味を持つように、ユーザはアイコンおよび／またはテキストを音声学的に使用する。そのようなテキストはアイコンの前および／または後に現われることができ、その逆もしかりである。
【０１４７】
本発明の例示的実施形態では、例えば一体感を与え、かつ／またはメッセージの残部と比較して対比をもたらすように、アイコンおよび／またはテキストの組合せの色は整合される。
【０１４８】
フレーズおよび代替的入力方法
本発明の例示的実施形態では、単一のアイコンが一連のアイコンおよび／またはテキスト記号を表わすために使用される。１実施例では、ユーザがアイコンを選択し、これは送出メッセージの一部として、一連のアイコンおよび／またはテキスト記号のシリーズに展開される。任意選択的に、シリーズは（例えばユーザが１つまたはそれ以上のアイコンまたは記号を追加するための）プレースホルダ、またはすぐさま解釈される要素、例えば一連のテキスト記号として時刻に変換されるクロック要素を含む。別の実施例として、手の位置が異なる３つの代替的グラフィック画像として、手を振ってあいさつするものがある。本発明の例示的実施形態では、プレースホルダが設けられる場合、アイコンがフレーズに展開されるときに、挿入カーソルはプレースホルダにスキップする。
【０１４９】
一部の実施形態では、アイコンから一連のアイコン／テキスト記号のシリーズへの変換は、サーバで、かつ／またはターゲットユーザで実行される。任意選択的に、サーバはターゲットユーザ装置が特定のフレーズアイコンをサポートするかどうかを決定し、否である場合、それは展開を実行する。
【０１５０】
本発明の例示的実施形態では、そのようなフレーズアイコンは、様々な状況、例えば「私  家（ｍｅ  ｈｏｍｅ）」、「会う  あなた  後で（Ｓｅｅ  ｙｏｕ  ｌａｔｅｒ）」のための速記として、ユーザまたはユーザグループによって使用される。
【０１５１】
本発明の例示的実施形態では、フレーズアイコンは、それ自体のカテゴリ記号を有する特殊カテゴリ（例えば「スマーティーズ（ｓｍａｒｔｉｅｓ）」カテゴリまたは「マイボックス」カテゴリ）として構成することができ、「スマーティーズ」アイコンはセットアイコンと同様の仕方で取り扱うことができる。
【０１５２】
本発明の例示的実施形態では、アイコンのシリーズは、直接入力によって、かつ／または作成または受信したメッセージもしくはその一部をコピーすることによって、「スマーティーズ」カテゴリに入力することができる。
【０１５３】
本発明の例示的実施形態では、フレーズアイコンは記号以外のものにだけ、例えば一連のフォーマット設定命令に、関係することができる。
【０１５４】
本発明の例示的実施形態では、アイコンフレーズカテゴリは、ユーザ生成メッセージ、ユーザ入力アイコン文字列、ユーザ入力フォーマット設定／組合せアイコン、および／またはユーザ入力テキストのための記憶場所として二重化される。任意選択的に、アイコンフレーズカテゴリは、一番最近使用された項目が最初に格納されるキャッシュとして構成される。代替的に、または追加的に、配列はアルファベット順、長さによって、かつ／または第２アイコンの名前によって行なわれる。本発明の例示的実施形態では、ユーザは何らかの典型的なテキストセグメント、例えば重要な他人および／または友人の名前を生成する。任意選択的に、ユーザはアイコンを１つまたはそれ以上のテキストアイコンの各々に関連付ける。任意選択的に、ユーザはそのようなアイコンを設計し、かつ／またはそれらを例えばサーバまたはコンピュータからダウンロードする。任意選択的に、これらのアイコンはそういうものとしてターゲットユーザに送信されず、むしろ局所的ユーザインタフェースに使用される。代替的に、または追加的に、セグメントはリストを用いて選択される。代替的に、または追加的に、セグメントは、例えば「Ｊｏｓｅｐｈ」に関する「ｊｏ」のように、数字および／またはテキストのシーケンスを使用して選択される。任意選択的に、アイコンの１つまたはそれ以上のグラフィックは、ＳＭＳによって、例えば単一のメッセージとして、またはメッセージの連鎖として送信される。任意選択的に、アイコンは２００バイト未満として送信される。
【０１５５】
本発明の例示的実施形態では、１つまたはそれ以上のセットアイコンは、グラフィカルメニューから選択する以外の方法を用いて、ユーザが入力することができる。１実施例では、各アイコンは１つまたはそれ以上の名前に関連付けられ、ユーザによって打ち込まれたテキストは、それが識別されるやいなや、アイコンに置換される。任意選択的に、初期識別が行なわれ（例えばユーザが「ｔ」を打ち込むと、「ｔｅａｃｈｅｒ」が識別される）、次いでユーザがさらにテキストを打ち込むにつれて変更され（例えばユーザが「ｈ」を打ち込むと、「Ｔｈｕｒｓｄａｙ」に変化する）、あるいはスクロール機構を起動する。代替的に、または追加的に、数字のシーケンス（任意選択的にカテゴリメニューと同じ）は、各アイコンに関連付けられる。任意選択的に、入力機構によるアイコンの推測は、前に入力されたアイコンおよび／またはテキストに依存する。例えば多数の一般的に使用されるフレーズを格納することができ、ユーザがアイコンまたはアイコンを指し示すものを入力すると、入力機構は（最初に）、ユーザが一般的なフレーズの１つを記入していると推測する。任意選択的に、最もよく使用されるアイコンを格納および／または更新するためにキャッシュが使用される。任意選択的に、ショートカットとして提供するために、最小限の使用頻度（任意選択的にユーザ設定可能）が要求される。そのような頻度は、クライアントおよび／またはサーバが、送信されたメッセージを解析することによって検出することができる。
【０１５６】
本発明の例示的実施形態では、ＳＭＳメッセージを自動的にアイコンメッセージに翻訳するＳＭＳトランスレータが提供される。例えば、１つまたはそれ以上の単語またはフレーズをアイコンまたは一連のアイコンに対応させる辞書を設けることができる。場合によっては、幾つかの単語は変更されず、一連のテキスト記号としてアイコンメッセージに提供される。任意選択的に、テキストはそれが打ち込まれるときにアイコンに変換される。任意選択的に、非言語テキストセクションは、文字によって指示されるキーのシーケンスに基づいて、または入力された数字もしくはキーストロークに基づいて、アイコンを指示するものとして自動的に認識される。代替的に、または追加的に、１つまたはそれ以上のショートカット（例えば２個または３個の文字）を各アイコンに関連付けることができる。代替的に、または追加的に、アイコンの名前は、打ち込まれたときにアイコンによって置換される。
【０１５７】
本発明の例示的実施形態では、例えばＳＭＳメッセージ（例えばＴ９）で知られるような一般的自動完成機構がアイコン用に設けられ、テキストは、アイコン名が識別されるやいなや、かつ／または次のアイコンが入力されるやいなや、アイコン名によって置換される。任意選択的に、さらなるテキストが入力されると、アイコンは変更される。アイコンは複数の名前を持つことができ、そのうちの１つまたはそれ以上に、そのような機構を用いてアクセスすることができることに留意されたい。
【０１５８】
本発明の例示的実施形態では、数字の選択または打ち込みを用いた入力の代わりに、アイコンは音声入力を用いて入力される。任意選択的に、アイコンの名前は、音声認識を簡単にするために、音声学的に区別されるように選択される。音声認識システムの観点から、特定の音は非常によく似ており、例えば「ａｄ」および「ｈａｄ」は音声認識を難しくし、「ｃｒａｔｅ」および「ｇｒｅａｔ」も同様である。本発明の例示的実施形態では、これは、その言語でそれらに似た名前を持たない（言語による）名前を選択することによって回避される。例えば、「ｈｅｒｅ」および「ｈｅａｒ」は区別することが難しい。それらは代わりに「ｈｅｒｅ」および「ｌｉｓｔｅｎ」と命名することができる。
【０１５９】
本発明の例示的実施形態では、アイコン、カテゴリ、テキスト、画像、および／またはショートカットはサーバに格納され、必要に応じてクライアントによってアクセスされる。
【０１６０】
本発明の例示的実施形態では、データ入力は、キーストロークおよび／またはスクロール動作を最小化するように設計される。本発明の例示的実施形態では、利用可能なアイコンの少なくとも９０％が４回またはそれ以下のストロークを用いて選択することができる。任意選択的に、アイコンが選択される回数の少なくとも９０％で、それは４回またはそれ以下のストロークを用いて選択される。任意選択的に、百分率は少なくとも５０％、少なくとも７５％、またはそれ以上もしくは中間数である。任意選択的に、より多数のストローク、例えば５回以下、例えば３回が可能である。任意選択的に、ダブルクリックおよび／またはスクロールは単一ストロークとして計数される。
【０１６１】
本発明の例示的実施形態では、ユーザがアイコニックメッセージを作成し始めるときに、そのユーザは、アイコニックセットでの表現を有する概念を選択することによって開始する。任意選択的に、概念が欠如しているか、曖昧さが生じた場合、ユーザはテキストセグメントを挿入することができる。任意選択的に、ユーザはセットの制約によって限定される方法で考えることができるという意味で、充分に熟達する。
【０１６２】
例示的ユーザインタフェースを含む例示的移動体アーキテクチャ
図４は、本発明の特定の実施形態に係る移動装置に組み込むためのコンピュータアプリケーション製品の例示的機能アーキテクチャの一般的ブロック図を示す。
【０１６３】
アイコニックメッセージ（ＩＭ）（４０１）の助けによる通信のためのコンピュータアプリケーションは任意選択的に、移動装置（４００）に組み込まれる。アプリケーションは様々な仕方で提供され、例えば移動装置にプレロードされ、あるいは移動アプリケーションをダウンロードするために従来使用される、無線によるなどの方法で移動装置にロードされ、従来の方法で（例えば移動装置のショートカットおよび／またはクイックキーを使用して、アプリケーションメニューおよび／またはオプションメニューからの選択によって）起動することができる。本発明の特定の実施形態では、アプリケーションは、例えばユーザが移動装置の従来の方法で「メッセージの作成（書込み）」または「メッセージの読出し」オプションを選択した後で、起動される。本発明の一部の実施形態では、アプリケーションは、例えばユーザが例えばアイコンを表わすコード語をＳＭＳメッセージに入力し、ＳＭＳメッセージを「ｚ」（または他の選択された記号または記号シーケンス）で開始して彼の意図を示したときに、または警報ＳＭＳもしくは着信アイコンメッセージなど、そうするようにトリガする事象の後に、自動的に起動される。ある自動的起動を図１２に示す。
【０１６４】
ネットワークインタフェース（４０７）は任意選択的に移動装置のネットワークインタフェースブロック（４０８）と機能的に関連付けられ、少なくとも１つの通信装置（４１２）と通信するサービスセンタ（４１１）と、このブロック（４０８）を介して通信することができる。通信装置（４１２）は、移動装置へのメッセージを受信または発信することのできるいずれかの装置とすることができる（例えばＰＣ、ＰＤＡ、セルラ電話機、ページャ等）。
【０１６５】
ユーザは、移動装置のディスプレイおよび入力インタフェースと機能的に関連付けられ、かつプロセッサ（４０３）に接続されたユーザインタフェース（４０２）を介して、アプリケーションを作動させることができる。
【０１６６】
本発明の例示的実施形態では、携帯電話機のユーザインタフェースは非アルファベット言語をサポートしない。任意選択的に、電話機は非ラテン言語をサポートしない。任意選択的に、電話機は中国語、日本語、および韓国語等の表意文字または象形文字言語のフォント画像をサポートしない。
【０１６７】
本発明の例示的実施形態では、プロセッサは、ユーザインタフェースを介してリポジトリ（下述）からグラフィック画像（例えばカテゴリおよびサブカテゴリ記号、セットアイコンおよび／またはテキスト要素および／またはフォント）を選択かつ検索し、結果として得られたアイコニックメッセージをディスプレイの指定された座標（以下「メッセージ領域」）に提示することを容易にする。ユーザインタフェースは、関連付けられた入力キーの助けを借りて、かつ／またはナビゲーションキー（コマンド）および制御コマンドの助けを借りて、この選択を可能にする。アプリケーションを作動させるために必要な全ての入力は任意選択的に、いずれかの従来のインタフェース（例えば押しボタンインタフェース、タッチスクリーンインタフェース、ペンインタフェース、グラフィカルユーザインタフェース等）を介して起動される。
【０１６８】
任意選択的に、ユーザインタフェースは移動装置と連動して、例えばアイコンリポジトリから検索したグラフィック画像、メッセージ領域、アイコニックメッセージ、通知およびメニュー記号（例えば新メッセージアラート、電話帳等）を含む組織化された情報、移動装置に典型的なナビゲーション、動作、および／または編集コマンド（例えば選択、追加、戻る、消去、オプション、送信、開く、ヘルプ、終了等）などを表示する対話型スクリーンを提供する。ユーザインタフェースは任意選択的に、例えばアイコニックメッセージを作成し、編集し、送信し、受信し、または読み出すために、移動装置の入力インタフェースを介してこれらのコマンドの起動を容易にする。ユーザインタフェースを操作するユーザの経験は、移動装置を操作する便利な経験と同様であり得る。ユーザインタフェースはまた、新しいかつ／または未読のメッセージ、および／または送信者もしくは受信者の詳細を指摘する要素を含むこともできる。そのような指摘は任意選択的に、重量な事象に応答して動的に更新される。例えば前に受信したメッセージの送信者名を示すことから、着信したばかりのメッセージの送信者のハイライトされた名前に切り替える。
【０１６９】
アイコンおよび／またはデータリポジトリ
任意選択的に、プロセッサは、任意選択的に階層型、関係型、または他のデータベースフォーマットに構成されたグラフィック画像を含む、アイコンのリポジトリ（４０４）に結合される。代替的に、配置は平坦であり、特定の階層を持たず、あるいは２つのレベルだけの階層である。リポジトリはセットアイコンと直接または間接的に（例えば階層を介して）関連付けられるカテゴリ記号を含む。グラフィック画像はまた、カテゴリ記号に従属しかつセットアイコンに関連付けられるサブカテゴリ記号を含むこともできる。
【０１７０】
本発明の特定の実施形態では、各セットアイコンは、セットアイコンに割り当てられ、かつリポジトリ４０４に格納された一意の識別番号（ＩＤ）を有する。プロセッサは、リポジトリに格納されセットアイコンに関連付けられたデータ（例えばアイコン名、ＩＤ、下述するユーザグループ等）を処理かつ管理することができる。プロセッサ４０３はまた、メッセージサービス（例えばＳＭＳ）の標準と互換可能なフォーマットでの送信を容易にするために、アイコニックメッセージ（関連する場合、テキストセグメントを含む）を符号化し、かつ受信したメッセージをアイコニックメッセージフォーマットに復号することもできる。アイコニックメッセージの符号化／復号のプロセスは、以下図１１にさらに示す。
【０１７１】
本発明の一部の実施形態では、アイコンリポジトリは更新することができる。任意選択的に、そのような更新は、リポジトリにアクセスする幾つかまたは全部のプログラムを更新することなく、実行することができる。本発明の例示的実施形態では、アイコンリポジトリは、ソフトウェア更新後に維持される領域に配置することができる。
【０１７２】
リポジトリは、例えば個々のアイコンまたはカテゴリに従って、部分的にまたは全体的に更新することができる。任意選択的に、そのような更新は、新しいデータおよびリポジトリ内の該データの位置を指摘するサーバからのメッセージによる。任意選択的に、更新はクライアントによって要求される。任意選択的に、サーバは、更新が利用可能であるか否か、かつ／またはいつ更新が利用可能であるかをクライアントに通知する（例えばビットフラッグを送信することによって）。任意選択的に、各更新は、関連する更新コードを有する。任意選択的に、サーバおよび／またはクライアントは、適用された更新を追跡する。任意選択的に、アイコンおよび／またはユーザによってオーバロードされた他のデータ、例えばユーザカスタマイズされたアイコン用の別個のリポジトリ領域が設けられる。任意選択的に、そのようなアイコンが、更新されたアイコン／データと衝突した場合、ユーザに通知される。
【０１７３】
任意選択的に、アイコンリポジトリまたは追加の１つまたはそれ以上のリポジトリは、他の項目、例えば制御動作（例えば保存、格納）を示すアイコン、および／またはアイコン名もしくはそれらが構成されるフォントのプリメイドテキストグラフィック表現等のテキスト要素を格納する。代替的に、または追加的に、リポジトリはヘルプテキストおよび／または使用説明書を格納するために使用される。
【０１７４】
任意選択的に、クライアントは、例えばディスプレイサイズ、ユーザによって使用される実際の電話機の識別、および／またはユーザの嗜好に依存する使用のために、１つまたはそれ以上のアイコンおよび／またはテキスト設定の複数の変形を格納する。任意選択的に、そのような変形はサーバに格納され、必要に応じて、または電話機の能力を示すクエリに応答して、更新パッケージおよび／または初期インストールの一部として、クライアントにダウンロードされる。任意選択的に、クライアントソフトウェアをダウンロードすると、ブートストラップ動作が実行され、そこで初期ダウンロードコードが実行され、サーバがソフトウェアおよびアイコンのパーソナライズクライアントパッケージを選択かつ／またはコンパイルすることができるように、サーバに対し電話機の能力および／またはユーザの嗜好の報告が行なわれる。任意選択的に、ソフトウェアは全ての電話機に対して同一であるが、必ずしもそうである必要は無く、例えば、電話機でサポートされる場合は、高品質の音声および／またはグラフィックコードを提供することができる。
【０１７５】
代替的に、または追加的に、多言語要素、例えば様々な言語でのアイコン名または意味が格納される。
【０１７６】
任意選択的に、アイコンリポジトリは、アイコンを表示するときに性能を向上し、かつ／またはメモリの利用を向上するように構成される。
【０１７７】
本発明の例示的実施形態では、アイコンリポジトリのデータの少なくとも一部は、ユーザに提示される様々なカテゴリスクリーンと整合するように構成される。本発明の例示的実施形態では、予想されるディスプレイと整合するように構成されたグラフィカルデータが各スクリーンページに含まれるように、スクリーンページが設けられる。これはデータ検索および／または表示性能を向上することができる。
【０１７８】
本発明の例示的実施形態では、定義されたサイズのアイコンの境界を定める最小限の方形（または他の形状）だけを格納し、次いでその定義されたサイズに従ってアイコンを配置することによって、性能は向上する。
【０１７９】
本発明の例示的実施形態では、画像（例えばビットマップ）としてアイコン名を格納することによって、性能は向上する。フォントレンダリングが高速であり、メモリが不足するシステムでは、ストレージはテキスト文字列の形を取ることができる。任意選択的に、専用フォント、例えば５画素フォントが名前のために設けられる。
【０１８０】
本発明の例示的実施形態では、アイコンをそれらの色構成に従ってシート状に配列することによって、ストレージ要件は軽減される。本発明の例示的実施形態では、アイコンに許容される色の総数は最小化され、例えば１００未満、２０未満、１０未満である。代替的に、または追加的に、各アイコンに使用される色セットに従ってアイコンをグループ化することによって、空間の節約が実現される。例えば、一部のアイコンは、赤、緑、および青に基づくことができる。他のアイコンはグレー、赤、黄、および紫に基づくことができる。本発明の例示的実施形態では、各アイコングループはそれ自体のカラーマップを有し、非常に少数のビットを使用してカラーマップにインデックスを付けることができる。任意選択的に、新しいアイコンをデザインするときに、デザイナは利用可能なカラーセットから選択する。任意選択的に、メモリが限定された電話機の場合、類似の色を組み合わせて同じ色にする。本発明の例示的実施形態では、４０未満のカラーセット、２０未満のセット、１０未満のセット、または中間数のセットが使用される。任意選択的に、アイコンの少なくとも５０％は１０未満の色を有する。
【０１８１】
アイコンリポジトリの構成およびスクリーンレンダリングの方法は任意選択的に、特定のハンドセットの限界および能力、例えばそのスクリーンサイズ、実現言語（例えばＪ２ＭＥ、ＢＲＥＷ）サポートグラフィックルーチン、実行時メモリ、余分な／共用ストレージメモリ、最大プログラムダウンロードメモリ、および／または色数に適合するように選択される。場合によっては、他の考慮事項、例えば言語がある。例えば中国語では、アイコン名を表わす単語はそれ自体エンティティであるので、名前をアイコン画像自体に添付されるかまたはそれとは別個のグラフィック要素として格納すると、より効率的であり得る。この情報は、クライアントアプリケーションをダウンロードかつ／または更新するときに、サーバに提供することができる。
【０１８２】
アイコン名
本発明の特定の実施形態では、カテゴリ記号、サブカテゴリ記号、および／またはセットアイコンは任意選択的に、アイコン（または他の記号）をユーザに説明する関連名を有する。
【０１８３】
プロセッサは、様々な仕方で、例えばメッセージの作成および／または読出し中に常時、記号またはアイコンを選択した後短時間、ユーザが予め定められたキーを押した後オンデマンドで（任意選択的にトグルされる）、かつ／または様々な期間、および／または様々なトリガに応答して、ユーザインタフェースを介して名前を表示することを容易にする。名前は、単一の「現在のアイコン」に対して、または表示されている全てのアイコンに対して提示することができる。任意選択的に、名前はアイコンに対して順次提示される。
【０１８４】
任意選択的に、名前テキストはアイコンとは別個に格納される。任意選択的に、異なる装置および／またはユーザには異なる言語が提供される。任意選択的に、同一言語であっても、ユーザのグループ所属および／またはユーザの嗜好に基づいて、異なる標識を提供することができる。
【０１８５】
任意選択的に、アイコンに関連して提示される名前の位置は、特定のハンドセットおよび／またはユーザ言語の能力に適合するように構成される。例えばアイコンの間に充分な空間がある場合、それらの名前はアイコンの下に提示することができる。充分な空間が得られない場合、名前はアイコン空間自体を部分的にまたは完全に覆うように構成することができる。このオーバラップ機能は、５画素のフォントサイズを用いて実現することのできる英語フォントとは異なり、一般的には１１画素以上のフォントサイズを必要とする中国語等の、アイコン名を提示するために比較的大きい画素数を必要とする言語に必要であり得る。任意選択的に、オーバラップする代わりに、テキストを示すときに、任意選択的には瞬間的に、またはキーを押している期間中、アイコンを縮小させる。
【０１８６】
本発明の特定の実施形態では、セットアイコンの一部は複数の名前（例えば同一アイコンに対して「大きい」、「多数」、「多い」）を持つことができる。任意選択的に、名前は無作為にまたは予め定められた待ち行列に従って表示するように選択される。本発明の例示的実施形態では、表示は文脈に依存するように選択することができる。例えば「やあ」および「さよなら」が同一アイコンの複数の名前である場合、プロセッサはアイコニックメッセージの冒頭にあるそのアイコンには「やあ」と表示し、最後にあるそのアイコンには「さよなら」と表示し、アイコニックメッセージの中間にあるそのアイコンには「やあさよなら」と表示することができる。任意選択的に、パターン認識規則を使用して、アイコンがおそらく１つの意味または別の意味を持つかどうかを決定することができる。
【０１８７】
任意選択的に、少なくとも５、少なくとも１０、少なくとも２０、少なくとも３０、またはそれ以下または中間数のアイコンが複数の名前、例えば各々２、３、４つ、またはそれ以上を持つことができる。任意選択的に、複数の言語が同一の装置に提示される。任意選択的に、１つのメッセージ内に任意選択的に混合される１つの言語または別の言語の提示は、ユーザが言語を学習するのを助ける手段である。任意選択的に、プロセッサは、各名前が最小回数表示されることを確実にする。
【０１８８】
本発明の例示的実施形態では、名前の表示は、ユーザにアイコンが持ち得る様々な意味に慣れさせるために使用される。任意選択的に、プロセッサは、ユーザがその様々な意味を学習することができるように、各名前が充分にしばしば、かつ／または充分に長く表示されることを確実にするために名前の表示を追跡する。任意選択的に、様々な名前の表示時間は均等である。代替的に、表示時間は、意味の新しさまたは典型的な使用法（例えばサーバを介して、例えば手動で提供される）に反比例する。
【０１８９】
本発明の例示的実施形態では、ユーザは、例えばグループ内で（下述）アイコンに新しい意味を定義／関連させることができる。代替的に、または追加的に、ユーザは中央サーバに提案を行ない、かつ／または既存のアイコンの新しい意味について投票し、かつ／またはアイコンへの所望の変化について投票することができる。ユーザの提案に対し代替的に、または追加的に、システムアドミニストレータが単数または複数のフォーカスグループに接触し、世論調査を使用し、かつ／またはメッセージを分析して単語の使用頻度パターンおよび／または新しい意味を識別することができる。そのような新しい意味は、上述の通り、より頻繁に提示することができる。
【０１９０】
本発明の例示的実施形態では、投票は、サーバによって取り込まれかつ／または分析されたアイコニックメッセージを介して行なわれる。任意選択的に、メッセージおよび／またはグループメンバシップは、投票結果／要求を誰に送信するかをサーバに指示する。本発明の例示的実施形態では、投票は、サーバが新しい潜在的アイコンおよび／または名前を含むメッセージをユーザに送信し、かつユーザが所望のアイコンおよび／または名前だけが維持されたメッセージを応答することによって行なわれる。
【０１９１】
本発明の特定の実施形態では、セットアイコンの名前は、特定のユーザグループ（例えばアイコンの名前の自然言語）に対して調整し、あるいはグループによってセルフカスタマイズすることができる。ユーザグループは、グループメンバだけが利用できるセットアイコンの専用セットを持つこともできる。これらの専用セットアイコンは、ユーザグループ専用の特殊カテゴリ内のみならず、一般的に利用可能なカテゴリ内にも含めることができる。異なるユーザグループは、異なるセットの専用アイコンを持つことができる。
【０１９２】
本発明の特定の実施形態では、音声認識システムによるアイコンの名前の認識を容易にするために、名前は音声学的に明瞭に定義することができる。アイコンのそのような明瞭な名前は、アイコニックメッセージの音声に基づく入力および／または音声に基づく作成のために使用することができる。
【０１９３】
アイコン画像の例示的選択
本発明の例示的実施形態では、アイコンの画像は、例えば当業界で公知のアイコン生成ツールを使用して描かれる。任意選択的に、アイコンは、最小限の色数を持ち、かつ／またはそれぞれが少数の同じ色を有するグループに分類されるように選択される。
【０１９４】
本発明の例示的実施形態では、一部のアイコンは色の使用を通して有意味かつ／またはいっそう有意味になる。例えば、止まれおよび進めは緑および赤の光、および／または歩く歩行者および立っている歩行者とすることができる。任意選択的に、少なくとも１０個のアイコンが色による強化された意味の特性を有する。代替的に、または追加的に、少なくとも５個のアイコンが任意選択的にそれらの意味を色から受け取る。
【０１９５】
本発明の例示的実施形態では、アイコンの少なくとも一部は、（主要な物体として）直感的に理解できるように意図されていない。むしろ、より重要なことは、ひとたび学習した後は、ユーザがアイコンとその意味との間の関連付けを容易に形成することができることである。
【０１９６】
本発明の例示的実施形態では、非直感的かつ／または具体的なアイコン、例えば「すぐに」および「欲しい」が設けられる。本発明の例示的実施形態では、少なくとも１０個、少なくとも３０個、または中間数のアイコンが、物体および／または物理的操作ではない概念を表わす。
【０１９７】
本発明の例示的実施形態では、アイコンの選択における考慮事項は、それらが他のアイコンとは区別され、かつ／または面白いことである。任意選択的に、これはモチーフ毎に提供されるアイコンの個数を低減する。モチーフは任意選択的に、時間測定アイコンおよび人々を示すアイコン等の関連するアイコンに対して用意される。
【０１９８】
本発明の例示的実施形態では、少なくとも１０個のアイコンが画像から生成される。
【０１９９】
本発明の例示的実施形態では、少なくとも１０個のアイコンが聴覚障害者の記号言語から生成される。任意選択的に、少なくとも１０個のアイコンの動画がそのような記号言語に基づく。
【０２００】
本発明の例示的実施形態では、アイコンの少なくとも５０％は、「人々」、「時計」、および「心」等の比較的少数のモチーフ（例えば３、５、１０、または中間数またはそれ以上）にて構成され、ベースアイコンの変更によって、様々な意味を伝達することができる（例えば「私に」、「あなた」、「彼ら」は全て人アイコンの変形である）。１実施例では、特定の時間量を伝達するアイコンは、目覚まし時計によって構成される。別の実施例では、曜日を表わすアイコンは同一のデザインを有し、色および曜日の省略名だけが異なる。任意選択的に、セット内のアイコンの少なくとも５０％は特定のモチーフに従わない。
【０２０１】
リッチメディア
上記説明は、受信装置に同時に表示され、かつ受信装置のスクリーンが充分に大きくない場合には任意選択的にスクロールされる、一連の記号として作成され、かつ表示されるメッセージを中心にした。本発明の例示的実施形態では、アイコンに基づくメッセージの表示は、追加メディアおよび動的提示の一方または両方によって向上する。
【０２０２】
本発明の例示的実施形態では、例えばアイコンおよびテキストの両方を含むメディアは、サイズ変更、回転、および色の変更等のフォーマット命令によって向上することができる。
【０２０３】
本発明の例示的実施形態では、色は相対的に（例えば他のアイコンに対して）変更される。任意選択的に、１つまたはそれ以上の可能なカラーマップが送信側、サーバ、および／または受信側に格納され、かつ／または任意選択的に伝送される。任意選択的に、色変化命令はカラーマップに影響を及ぼし、かつ／またはユーザの嗜好に基づく。任意選択的に、ユーザは、送信者によって意図された効果とは異なるように、かつ／または他のユーザの嗜好、例えば背景色に適合するように、カラーマップを修正することができる。
【０２０４】
スライドショー
動的プレゼンテーションの第１実施例では、メッセージはスライドショーとして表示され、各アイコン、記号、および／またはテキスト記号のシーケンスは、任意選択的にスクリーン全体に表示されるように拡大される単一のアイコンとして提示される。任意選択的に、このモードは、携帯電話機を持たないユーザにメッセージを示すために使用することができる。
【０２０５】
任意選択的に、反復されるサイクル間の区別のために、大きいドットマーク等の分離子が連続サイクル間に埋め込まれる。任意選択的に、反復されるアイコンまたは／および全てもしくは一部のアイコンを分離するために、ブランク期間（つまりホワイトスクリーンまたは他のタイプの分離子）を使用することができる。本発明の例示的実施形態では、アイコン変化率は、例えば送信者の設定に基づき、受信者の設定に基づき、かつ／またはメッセージの設定に基づき、制御することができる。任意選択的に、異なる遅延を一部のアイコンおよび／または１対のアイコンに関連付けることができる。例えば、対として働く２つのアイコンは、短い遅延を置いて表示し、交互に１回以上表示し、または同時に表示することができる。任意選択的に、メッセージ作成者は、１つまたはそれ以上のアイコン間遅延から特定（例えば絶対的または他のアイコンに対して相対的な）の遅延を選択することができる。テキスト記号は拡大し、１文字ずつ、または完全な単語もしくは部分単語等の文字群毎に提示することができる。任意選択的に、拡大は、セグメント全体（および２つの連続セグメントを提示することもできる）がスクリーンに収まるように行なわれる。全てのアイコンは一般的に同一サイズであるが、本発明の一部の実施形態では、アイコンの少なくとも幾つかは非標準サイズを有し、スクリーン全体を満たすようにアイコンを選択的に拡大するか、あるいは固定倍率を維持するように設定を行なうことができる。任意選択的に、ある装置に対しては、アイコンが拡大されると、アイコンの詳細が追加される。
【０２０６】
同様に、アイコンのズーム係数、ズームタイプ（例えばスクリーン全体）、および／または同時に表示するアイコン数を設定するためのユーザ設定を設けることができる。
【０２０７】
スクロール、スライドショー、および／または他のリッチメディア機能は任意選択的に、メッセージ全体および／またはメッセージの一部に対して利用可能である。
【０２０８】
任意選択的に、ユーザは、彼の送信するメッセージがリッチメディア／スライドショーのデフォルト設定を有するか否かを選択することができる。同様に、受信者はそのような設定を持つことができる。任意選択的に、メッセージを受信したときに、それがリッチメディアディレクティブを含む場合、ユーザは、そのような設定を遮断するか、それともそれらを許容するかを選択することができる。
【０２０９】
本発明の例示的実施形態では、例えば受信者によって選択された部分だけ、またはメッセージの予め設定された部分がカーソルで、または他の手段によって指定される（スクロールされるなど）場合、メッセージの一部分だけがスライドショーとして示される。任意選択的に、ユーザはメッセージの一部分または全部を選択し、メッセージに定義された動画化またはデフォルト動画化を適用する「動画化」オプションを選択することができる。
【０２１０】
本発明の例示的実施形態では、これら（例えばスライドショー、拡大、２秒遅延）および他の非表示ディレクティブは、アイコンを用いて、または例えば当業界で公知の他の入力方法を用いて、リストから選択することができる。任意選択的に、以前に使用した表示ディレクティブおよび／またはそれらの逆（例えば「Ｘ」が最近適用された場合、「ｓｔｏｐ  Ｘ」は、格納される）がキャッシュに格納される。
【０２１１】
全てのアイコンを拡大する必要は無い。任意選択的に、たとえそうであったとしても、作成者は各アイコンをどれだけ拡大するかを選択することができる。任意選択的に、中間的拡大が行なわれ、メッセージは、例えば一度に２個、３個、またはそれ以上のアイコンをスクリーンに表示しながら、スクロールストリーマとして提供される。任意選択的に、スクロールは平滑である（例えばアイコン部分をアイコンスクロールとして表示する）。任意選択的に、アイコンは拡大されるときに動画化され、例えば振動し、回転し、かつ／またはスクリーン中の経路に従って動く。そのような動画化はまた、拡大後および／または拡大が行なわれない場合に行なうこともできる。デフォルト動画化を各アイコンに関連付けることができる。本発明の例示的実施形態では、動画化または他の「リッチ」特性を、ユーザ、電話機、ユーザグループ、言語（例えば文化グループ）、および／またはシステムの１つまたはそれ以上に関連付けることができる。
【０２１２】
音声
本発明の例示的実施形態では、音声をアイコンまたは一連のアイコンに関連付けることができる。任意選択的に、アイコニックメッセージは音声、例えば受信側に位置する一連の音符、サウンドストリング、またはサウンドファイル、例えば標準サウンドを再生させるディレクティブを含む。本発明の例示的実施形態では、音声は、メッセージ開始、アイコン位置、アイコンの表示、スナップショット（下述）、または他の事象の１つまたはそれ以上に同期する。任意選択的に、音声はメッセージが終了するまで繰り返すことができる。任意選択的に、音声指示は、ファイルの開始位置および／または終了位置および／または繰返し位置を含むことができる。１つまたはそれ以上の音声パラメータ、例えばピッチ、特殊効果、速度、および楽器が任意選択的に提供される。
【０２１３】
非アイコンの可視的強化
上述の通り、アイコンメッセージはテキスト記号を用いて強化することができる。任意選択的に、グラフィック項目、例えば送信者または受信者の装置に格納されたグラフィック画像および／または送信者の装置で作成された絵画が提供される。任意選択的に、強化は画像、例えば送信者の電話機に搭載されたカメラによって取り込まれたものである。代替的に、または追加的に、強化は任意選択的にユーザのカメラによって取り込まれたビデオクリップを含む。本発明の例示的実施形態では、画像データはアイコンメッセージとは別個に送信され、受信者によってダウンロードされる。本発明の例示的実施形態では、送信者は、例えば送信者の電話番号を含め一意であると予想され、サーバによって受信されるコードを含むデータをサーバに送信し、かつメッセージ内のコードを送信する。任意選択的に、ターゲット装置がメディアをサポートしない場合、サーバはメッセージにＷＡＰページを生成する。これらの機構は、例えばサーバが画像バックアップとして働く場合、ユーザの電話機およびサーバの両方（またはサーバのみ）に格納された画像に使用することもできる。任意選択的に、送信者はＵＲＬとしてサーバによって検索されるウェブ位置に強化を指示する。
【０２１４】
動画
本発明の例示的実施形態では、アイコン動画化はアイコンの変化を含む。例えば、アイコン「あなた」は、読者を指し示す指を示し、サイズを大きくして（例えば近づけて）動画化することができる。別の例では、おじぎをする人は、おじぎを示し感謝を示唆するように動画化される。そのような動画化は、少数の変化するアイコン画像、例えば２個、３個、もしくは４個、および／または画像部分の置換を使用することができる。
【０２１５】
本発明の例示的実施形態では、アイコンが予め定められた動画化を有する場合、ユーザはアイコンを静的なものとして見ることができるが、メッセージ表示モード（例えばプレビューまたは受信）時に、アイコンは動画化される。
【０２１６】
本発明の例示的実施形態では、アイコンの対が動画化される。例えば１対のアイコン「しない（ｎｏｔ）」および「行く（ｇｏ）」は、それらを交互に交代し、かつ／または「行く」の上に「しない」を重ねることによって動画化される。
【０２１７】
本発明の例示的実施形態では、アイコンは、スクリーン上でアイコンを動かすことによって動画化される。アイコンに対し、例えば移動の経路、速度、および／または方向を定義することができる。
【０２１８】
本発明の例示的実施形態では、アイコンの動画化は、シーケンスとして実行される１セットのアイコン画像および位置として定義される。
【０２１９】
アイコン位置およびスナップショット動画
本発明の例示的実施形態では、動画化は、複数のスクリーンスナップショットを生成し、スクリーンを連続的に示すことによって提供される。本発明の例示的実施形態では、各スクリーン上のアイコンの位置は、位置決めディレクティブ（アイコンおよび／またはマーカを任意選択的に前のスクリーン上の位置に対して相対的に移動させるために任意選択的にスクロールキーを用いて入力される）、およびスペーシング記号の一方または両方を用いて設定される。例えば、スペーシング記号は、「スペース」、「バックスペース」、および「改行」の１つまたはそれ以上を含むことができる。「改ページ」ディレクティブは、新しいスナップショットをマークするために使用することができる。任意選択的に、ディレクティブは記号ストリーム内に提供される。代替的に、または追加的に、それらはユーザが手動的に入力する。任意選択的に、ディレクティブはよりコンパクトなフォーマットに圧縮される。例えば、２つの「改行」および１つの「スペース」は「ＭＯＶＥ（移動）」、「２，１」に変換することができ、ここで「２，１」は８ビットパターンである。代替的に、ジョイスティックまたはスクロールキーを使用した位置決めは、「スペース」および「改行」ディレクティブに変換される。例示的なディレクティブとして、ディスプレイモードの（例えばテキスト入力への）変更、ディスプレイの向きの変更、スペース、スペースの異なるサイズ、アイコン拡大、アイコン回転、「フラッシュ」アイコンオンおよびオフ（または逆）、整列（例えば中央、右合わせ、左合わせ）、フォント変更情報、および／またはアイコンの明滅または移動の追加が含まれる。
【０２２０】
任意選択的に、音、サイズ、および／または遅延を各スナップショットに関連付けることができる。
【０２２１】
別の実施例では、３つの行および３つのスクリーン、スクリーン１：「行く‐‐（ｇｏ‐‐」、スクリーン２：「‐行く‐（‐ｇｏ‐）」、スクリーン３「‐行く家（‐ｇｏ  ｈｏｍｅ）」、スクリーン４：「‐‐家（‐‐ｈｏｍｅ）」が使用される。「‐」はスペースを意味する。連続的に表示すると、スクロールする「行く家（ｇｏ  ｈｏｍｅ）」を示す視覚的メッセージが生成される。
【０２２２】
追加的動画オプション
本発明の例示的実施形態では、スクリーン位置決めおよび／また他の動画化命令はアイコン毎に提供される。例えば各アイコンを、コマンドが適用される目的語として処理する。任意選択的に、各セットが１つまたはそれ以上のアイコンを含み、各々が実行すべき１つまたはそれ以上のコマンドを持つ、複数のセットを提供することができる。任意選択的に、アイコン同士がスクリーン上で接触するときの動作、例えば、「オーバレイ」、「弾性衝突」、「ゴブル（ｇｏｂｂｌｅ）」、「遷移」、および／またはフレーム内への滑り込みおよび／またはフレーム外への滑り出し（任意選択的にラップする）が定義される。本発明の例示的実施形態では、スプライトに使用されることが公知の動作の定義をアイコンに使用することができる。
【０２２３】
本発明の例示的実施形態では、例えば連続ループ、時間制限ループ、または１つまたはそれ以上のスナップショットおよび／またはセットに対する反復回数制限ループを示すループコマンドが提供される。
【０２２４】
任意選択的に、アイコン間の遷移はフェージングによる。代替的に、または追加的に、遷移は突然である。代替的に、または追加的に、当業界で公知の他の遷移効果を使用することができる。
【０２２５】
本発明の例示的実施形態では、アイコンは順番に動画化される。任意選択的に、各アイコンに対し、その相対的動画化時間を示すために時間遅延を定義することができる。任意選択的に、アイコンの動画化の開始および／または終了が次のアイコンをトリガするという意味で、トリガが定義される。任意選択的に、デフォルト挙動は、メッセージ内のアイコンが順次動画化されることである。任意選択的に、次のアイコンの動画化が開始された後に、前のアイコンの動画化が続く。
【０２２６】
本発明の例示的実施形態では、動画化を定義するためのインタフェースは、２つのレベルおよび／またはカテゴリを含む。第１型は、基本的配置（例えばスクリーン位置、改行、新しいスクリーン、および／またはスペースの直接指定）を含む。第２型は移動である。任意選択的に、移動コマンドは、第１型からの１セットのコマンド、例えば複数スペースを含む。別の実施形態では、「変化」コマンドが提供され、変化コマンドが入力された後または前に、配置コマンドが移動コマンドとして解釈される。
【０２２７】
本発明の例示的実施形態では、メッセージが受信されたときに、長く押すことによって、それをスライドショーとして示すことができる。任意選択的に、数字キーのいずれかを押して、スライドショーを停止させる。
【０２２８】
電話機能の組込み
本発明の例示的実施形態では、アイコンメッセージングは他の電話機能を組み込むことができ、例えばテキストに基づくＳＭＳメッセージングおよび／またはＭＭＳメッセージングの代替として、またはその代わりに提供される。
【０２２９】
本発明の例示的実施形態では、インタフェースの論理は、アイコンメッセージングの場合、および他の電話機能の場合と同一または同様である。
【０２３０】
送信されるアイコニックメッセージ、および／または受信されたアイコニックメッセージは任意選択的に、将来の再検討および／または編集のために、プロセッサ（４０３）に接続された入力ボックス／出力ボックスブロック（４０９、図４）に格納される。プロセッサは任意選択的に、移動装置の表示および／またはナビゲーション能力に任意選択的に機能的に関連付けられる編集能力を有する。本発明の特定の実施形態では、プロセッサは、移動装置に一体化されたテキストおよび／またはマルチメディアメッセージ入力ボックスに接続され、したがってメッセージの着信に関する総合的通知を促進する。例示的な着信プロセスを図１２にさらに示す。本発明の特定の実施形態では、アイコンメッセージングアプリケーションは、移動装置における送出機能用の出力ボックス（図示せず）を使用する。
【０２３１】
本発明の一部の実施形態では、別個の入力および／または出力ボックス（４０６）がアイコニックメッセージ用に設けられる。
【０２３２】
本発明の例示的実施形態では、メッセージを受信すると、送信者の詳細が連絡先リストに保存され、任意選択的にサーバからダウンロードされる。任意選択的に、そのような保存の前にユーザは待ち行列に登録される。
【０２３３】
本発明の特定の実施形態では、「入力ボックス」メッセージは、セットアイコンの表示と同様の仕方で表示される。
【０２３４】
受信したメッセージは、受信したメッセージの第１アイコンによって提示することができ、送信者の名前および／または番号がアイコンまたはその横に表示される。任意選択的に、第２アイコンがテキスト要素である場合、代わりにそれを表示することができる。任意選択的に、テキストはアイコンサイズと同等の空間に収まるように切り詰められ、あるいは縮小される。任意選択的に、第２要素が空白である場合、次の非空白要素が表示される。任意選択的に、メッセージに単一の要素しか無い場合、アイコンおよびその下のテキストは同じ要素を表わす。テキストディスプレイに、第１アイコンの「名前」を表示することができる。
【０２３５】
本発明の例示的実施形態では、メッセージはマトリックス形式で表示され、マトリックスの各要素が１つのメッセージを表わす。任意選択的に、送信者とアイコンまたは画像との間に関連付けが設けられた場合、ＳＭＳ、ＭＭＳ，または他の非アイコンメッセージがアイコンに予約された空間に表示される。任意選択的に、入力ボックスに同時に表示されるメッセージの数は、移動装置の入力インタフェースにおける入力キーの個数によって限定され、各表示メッセージは１対１の対応で入力キーに関連付けられる。任意選択的に、第１アイコン間でスクロールするために、スクロール機能が設けられる。本発明の例示的実施形態では、第１メッセージ中の例えばアイコン３の位置にあるときに、右にスクロールすると、同じアイコン位置が次のメッセージに移動する。任意選択的に、メッセージは送信者によって配列される。
【０２３６】
本発明の例示的実施形態では、メッセージの主題として、１つまたはそれ以上のアイコンが（例えば表示のために）使用される。
【０２３７】
本発明の例示的実施形態では、ユーザは、受信したメッセージを編集することによってメッセージに返事をするオプションを有する。
【０２３８】
同様の機構は任意選択的に、出力ボックスおよび／またはフレーズアイコンに適用される。出力ボックスの場合、ターゲット受信者の電話番号および／または名前が任意選択的に、メッセージを表わすアイコンの下に表示される。アイコンフレーズの場合、テキストは第１アイコン名を表わすことができる。
【０２３９】
任意選択的に、アイコンのリスト方法は、例えば空間が限定されている場合、かつ／または新しいメッセージを入力する前にメッセージを消去する必要があるかどうかをユーザに尋ねる機構を含む場合、ＦＩＦＯ型である。複合的方法を設けることができ、例えば入力ボックスおよび出力ボックスに対しては自動ＦＩＦＯであり、新しいメッセージのフレーズアイコンのために必要な場合には消去するようにユーザに求める。
【０２４０】
電話帳／アドレス帳の実現は任意選択的に、移動装置に依存する。装置によっては、電話帳／アドレス帳ソフトウェアアプリケーションをすでに含み、第三者プログラムがこの電話帳とインタフェースすることが可能である。そのような実施形態では、プロセッサ（４０３）は移動装置の電話帳／アドレス帳（４１０）に接続することができる。本発明の特定の実施形態では、プロセッサは、アイコニックメッセージアプリケーション内の電話帳／アドレス帳（４０５）に接続することもできる。このアドレス帳はアドレスディレクトリを含むことができ、ここで受信者のアドレスは電話番号、電子メール、ＩＰアドレス、インスタントメッセージングアドレス等とすることができる。ユーザインタフェースはプロセッサと共に、アドレス帳（４０５）の保守（例えば格納、コピー、消去等の作業）および操作（例えばエントリの選択）を、移動装置の従来の仕方で促進することができる。任意選択的に、メッセージングアプリケーションは、電話機の入力方法を介してアドレスの直接入力を可能にするので、電話帳／アドレス帳はオプショナルである。
【０２４１】
例示的実現では、ユーザは、メッセージを送信するときに、例えば、それ以外では電話機で得られない場合、彼のニックネームまたは／および連絡先の詳細を入力するように要求される。電話帳／アドレス帳の使用に代替または追加して、ニックネームまたは入力された連絡先の詳細を使用する連絡先リストを使用することができる。任意選択的に、ニックネームはメッセージに埋め込んで送信され、受信者は、連絡先リストの送信者の詳細として、メッセージの詳細で明らかになる送信者の電話番号を使用すると共に、ニックネームを入力することができる。任意選択的に、「送信者保存」オプションが受信者に提供される。任意選択的に、欠如した情報は、そのような情報が送信者によって非プライベートとして指摘されることを前提として、サーバによって提供される。
【０２４２】
本発明の例示的実施形態では、メッセージングアプリケーションは、電話機の作動中に電話の動作にアクセスすることを可能にし、その逆もしかりである。例えば、メッセージを作成中にコールを着信し、かつ／または応答することができる。別の実施例では、コールが送信されている間にメッセージを作成することができる。任意選択的に、複数のメッセージおよび／またはメッセージ型を、例えばＳＭＳメッセージおよびアイコンメッセージを、並行して作成することができる。
【０２４３】
本発明の例示的実施形態では、メッセージングアプリケーションはその操作に電話機の設定を利用する。１つの実施例では、メニュー言語、アイコン名、および／または背景色は、ユーザの嗜好に基づく。別の実施例では、メッセージの表示および／または入力の方向（例えば左から右へ、右から左へ、上から下へ、等）は、電話機の設定に依存する。任意選択的に、方向は、電話機の言語、国、および／または追加されるテキスト記号の言語に基づいて、自動的に選択される。任意選択的に、メッセージの読出し方向を示す矢印または他の標識がディスプレイに提示される。
【０２４４】
例示的サーバ
本発明の例示的実施形態では、サーバは不要である。代わりに、メッセージは１つの移動装置から他の移動装置に送信され、ターゲット装置が受信したメッセージ（例えばその最初の少数の記号）を解析して、それが通常のテキストメッセージであるか、それともアイコンメッセージであるかを決定する。例えば、全てのアイコンメッセージは「＃＄」で開始することができる。代替的に、ユーザはそのようなメッセージ開始を見ると、アイコンメッセージを表示するためのアプリケーションを起動する。代替的に、メッセージはアプリケーショントリガメッセージとして送信され、受信側におけるターゲットアプリケーションの実行を引き起こす。
【０２４５】
本発明の例示的実施形態では、アプリケーションは、図５に示す通り、クライアント−サーバモードで操作するシステムに組み込まれ、ここでサーバはクライアント移動装置間をインタフェースする。非限定的な実施例として図５に概略的に示す実施形態では、図４に示した移動装置（４００）は、サービスセンタ（４１１）を介して、ＩＭＡ（アイコニックメッセージアプリケーション）サーバ（５００）に接続される。ＩＭＡサーバは必ずしも単一の、かつ／または独立型のコンピュータではなく、幾つかのアプリケーションを実行する幾つかの異なるコンピュータ（例えばＳＭＳＣ、ＭＭＳＣ等）の間に分散することができる。
【０２４６】
ＩＭＡサーバは任意選択的に、登録されたユーザに関連するデータ（例えばソフトウェアバージョン、個人データ、加入者情報、グループメンバシップ、課金情報、使用する装置の種類、オペレータ、連絡先リスト、アイコンの１つまたはそれ以上）を格納するためのユーザデータベース（５１１）を含む。本発明の特定の実施形態では、ユーザデータベースはユーザグループに関連するデータ（例えばグループの名前、ユーザのグループメンバシップ等）をも含む。ＩＭＡサーバは、ユーザが新しいグループを作成しメンバシップを管理すること（例えば、他者に加入の招待状を送信すること、加入申請を承認または拒絶すること、メンバを排除すること、グループに対し管理者権限を有すること、そのような権限を他者に付与することの１つまたはそれ以上）を可能にするインタフェースを含むことができる。プロセッサ（５１４）は任意選択的に、グループ内の様々な種類のプロセス、例えば新しいメンバ、新しいアイコンおよびアイコン名、および／または「共用」アイコンの調整されたグラフィック画像の１つまたはそれ以上に関する対話型「民主的」決定または中央化された決定をサポートする。
【０２４７】
ＩＭＡサーバは任意選択的に、ＩＭＡサーバを介して送信されたメッセージの幾つかまたは全部を格納するためのメッセージデータベース（５１２）を含む。任意選択的に、ＩＭＡまたは他のコンピュータは、様々な目的のために、例えば、全てのユーザに使用されるアイコンの組合せ統計を取得するために、送信メッセージを分析する。任意選択的に、分析されたら、メッセージは廃棄される。
【０２４８】
本発明の特定の実施形態では、ＩＭＡサーバは、アイコニックセット（例えばカテゴリ、セットアイコン、ＩＤ、グラフィック画像、および／またはアイコン名の１つまたはそれ以上）に関連するデータの中央格納および保守のために使用される、オプショナルＤＢ（５１３）を含む。このデータベースはまた、アイコニックセットの異なるバージョンおよびカスタマイズを含むこともできる。本発明の特定の実施形態では、データベース５１３は、ユーザグループに関連するデータ（例えば各グループの専用セットアイコンのセット）を含み、任意選択的に特定のグループのメンバだけが専用セットアイコンをダウンロードすることを許可される。許可は任意選択的に、ＩＭＡサーバから許可されたダウンロードを行なうための標準的機構を介して実現される。例えばアプリケーションは、ＴＣＰ／ＩＰを介してＩＭＡサーバと接触してダウンロードを要求し、サーバは要求装置を識別し、それぞれのダウンロードを許可または拒絶する。
【０２４９】
特殊アイコンおよび／またはユーザグループを提供する実施形態では、サーバは、例えばユーザ電話番号または他のＩＤを使用して、任意選択的に特定のユーザへのアイコンの割当てを管理する。任意選択的に、クライアントは割当てをサポートする。任意選択的に、各グループ名はＩＤ番号および特殊アイコンに関連付けられ、メッセージまたはメッセージセクションには先頭にＩＤを付けることができる。任意選択的に、特殊処理されるメッセージセクション（例えばフォーマット設定、アイコングループ）は、「開始」および「終了」記号により区切られる。任意選択的に、そのような区切りは入れ子にすることができる。任意選択的に、フォーマット設定は一方または両方の区切り記号を先頭または末尾に付けることができる。任意選択的に、グループコードまたはフォーマット設定コードの関連付けは、サーバによって管理される。したがって、例えば、ユーザは８ビットを使用して２５６のグループの中から選択することができる一方、サーバは、実際のグループＩＤをクライアント限定サブセットにマッピングするテーブルを格納することによって、略無限数のグループをサポートすることができる。
【０２５０】
特殊アイコングループは、メッセージに挿入するために専用キーまたは他の選択を使用することができる。例えば、グループは表１に関連して上述した通りマッピングすることができる一方、新しいアイコングループをダウンロードした後のグループＩＤは、グループをそのような選択手段にマッピングするコマンドと解釈される。例示的実現はキー１〜９を使用して一般カテゴリを選択し、キー０は特殊カテゴリに割り当てられ、追加された各々の新しいカテゴリはその下にマッピングされる（つまり、第１のカテゴリは選択に０−１を使用し、第２のカテゴリは０−２を使用する等）。
【０２５１】
プロセッサ５１４は任意選択的に、格納されたデータの処理および管理のためにこれらのデータベースと結合される。プロセッサは任意選択的に通信ブロック（５１５）と結合されて、サーバおよび／または他の通信装置との通信を促進する。プロセッサ５１４はまた、様々なネットワーク上の能力の異なる多数の様々な装置をサポートするために、プロトコル翻訳を実行することも、様々な転送スキーム（例えば図１２でさらに説明するように、プッシュ対プル）を使用することもできる。プロセッサは任意選択的に、上記データベースに格納されたデータを集計し、分析することのできる統計ツールを組み込む。
【０２５２】
本発明の特定の実施形態では、ＩＭＡサーバはＣＤＭＡ移動ネットワークとＧＳＭ移動ネットワークとの間等の、異なる型のネットワーク間の翻訳を行なう。例示的実現では、メッセージ本体自体は同じであるが、メッセージヘッダが様々なネットワークの間で異なる。１実施例は、ＧＳＭ  Ｊ２ＭＥの実現にＪ２ＭＥポート番号を使用するのに対して、ＣＤＭＡ  ＢＲＥＷに基づく実現ではクラスＩＤを使用する。さらなる実施形態では、一部のクライアントは異なる値のヘッダを持つことができ、サーバはそれらの間で翻訳を行なうことができる。
【０２５３】
本発明の特定の実施形態では、ＩＭＡサーバは、移動装置によって発信されるメッセージと同様の仕方で、アイコニックメッセージを作成して発信または送信することを容易にすることができる。この能力は、例えば移動体広告、パーソナライズされたコンテンツサービス、更新アラート等、システムに由来する様々な種類のメッセージを送信するために使用することができる。
【０２５４】
本発明の特定の実施形態では、データベース（５１３）および／またはアイコンリポジトリ（４０４）は、少なくとも１つの特殊カテゴリ（以下「システムカテゴリ」）、およびこのカテゴリに関連付けられた少なくとも１つのグラフィック画像（以下「システムアイコン」）を含む。システムカテゴリに含まれるグラフィック画像は、例えば、セットアイコン、商標、ロゴ、他の商業的グラフィック画像であってよい。任意選択的に、これらのシステムアイコンは、移動装置を介してメッセージを作成中にはユーザが利用することができないが、ＩＭＡサーバおよび／または第三者サーバに由来するメッセージには含めることができる。これらのシステムアイコンは、ユーザが受信して読み出すことができる。
【０２５５】
ＩＭＡサーバはまた、例えば加入管理、課金、バージョン管理、設定更新、および／または販売促進の１つまたはそれ以上を含め、アイコニック移動通信プロセスの全体的な保守を促進する。（全体的な保守は任意選択的に、通信装置に組み込まれたアプリケーションおよびその一部分のプッシュおよび／またはプル更新を含む）。
【０２５６】
当業者は、本発明の範囲が必ずしも図４および５の構成によって限定されないことを容易に理解するであろう。同等かつ／または修正された機能を別の仕方で統合または分割することができる。本発明の一部の実施形態に係るサーバおよび／またはクライアントを実現する特定の詳細が、ＰＣＴのイスラエル受理官庁に本願と同時に出願した「Ｃｏｍｍｕｎｉｃａｔｉｏｎｓ  Ｎｅｔｗｏｒｋ  Ｓｙｓｔｅｍ  ａｎｄ  Ｍｅｔｈｏｄｓ  ｆｏｒ  Ｕｓｉｎｇ  Ｓａｍｅ」と称する出願（代理人整理番号５２４／０４９８４）、およびイスラエル特許庁に本書と同時に出願した「Ｃｏｍｍｕｎｉｃａｔｉｏｎｓ  Ｎｅｔｗｏｒｋ  Ｓｙｓｔｅｍ  ａｎｄ  Ｍｅｔｈｏｄｓ  ｆｏｒ  Ｕｓｉｎｇ  Ｓａｍｅ」と称する出願（代理人整理番号５２４／０５０７７）に記載されており、それらの開示内容を参照によって本書に援用する。
【０２５７】
例示的メッセージ変換プロセス
図１１は、非限定的な実施例として、ＳＭＳ通信用に実現された本発明の特定の実施形態に係る、アイコニックメッセージを変換する主要なステップを示す一般的流れ図を示す。
【０２５８】
本発明の特定の実施形態では、各セットアイコンは、セットアイコンに割り当てられかつリポジトリ（４０４、図４）に格納された、一意の識別番号（ＩＤ）を有する。実施例として、これらのＩＤは必ずしも表１および図１３に示す通りである必要はなく、一般的なものである。アイコニックメッセージが作成され、ユーザがその送信を起動すると、プロセッサはメッセージの符号化を促進する（１１０１）。符号化は様々な方法で、例えばＡＳＣＩＩをベースとするコードを使用しながら図１１に示すように様々なＩＤに関連付けられた数字を特殊記号で分離して、各アイコンのＩＤを固定長（例えば８ビット）のバイナリフォーマットで符号化して、あるいは当業界で公知の記号送信およびフォーマット設定の他の方法を用いて、実現することができる。
【０２５９】
ネットワークインタフェース（４０７、図４）は、符号化されたメッセージをサービス送信プロトコルに準拠するメッセージに変換することを容易にする。例えば、ＳＭＳサービスに準拠する場合、ネットワークインタフェースは符号化されたメッセージをＳＭＳペイロードに変換する（１１０２）。この目的のために、ネットワークインタフェースは、例えば無線通信業界仕様書のためのＪａｖａ（登録商標）  ＴｅｃｈｎｏｌｏｇｙをサポートするＪ２ＭＥワイヤレスツールキットを実現することによって、設計することができる（例えばｈｔｔｐ：／／ｉａｖａ．ｓｕｎ．ｃｏｍ／ｐｒｏｄｕｃｔｓ／ｊ２ｍｅｗｔｏｏｌｋｉｔ／を参照されたい。その開示内容は参照によって本書に援用する）。Ｊ２ＭＥ（Ｊａｖａ（登録商標）２  Ｐｌａｔｆｏｒｍ、Ｍｉｃｒｏ  Ｅｄｉｔｉｏｎ）ワイヤレスツールキットは、携帯電話機、主流パーソナルデジタルアシスタント、および他の小型移動装置で実行するように設計されたワイヤレスアプリケーションを開発するためのツールボックスである。ツールキットは一般的に、エミュレーション環境、性能最適化、および同調機能を含む。ツールキットは、ショートメッセージサービス（ＳＭＳ）のような無線通信資源に対しプラットフォーム独立型アクセスを与えるワイヤレスメッセージングＡＰＩ（ＷＭＡ）を含んでいてよい。
【０２６０】
ＳＭＳ通信のためのメッセージ送信は、クライアント−クライアントおよびクライアント−サーバ操作モード用の様々な実現を持つことができる。クライアント−クライアントモード（図４に示す）では、メッセージは、宛先電話番号および移動装置のＩＭＡ指定ポート番号（一般的にデフォルトまたは他の「周知」のポート番号とは異なり、ＣＤＭＡ  ＢＲＥＷでは「クラスＩＤ」と呼ばれる）を含む（例えばＧＳＭ、ＣＤＭＡ等で使用されるような）標準ＳＭＳヘッダ、および符号化されたアイコニックメッセージをＳＭＳペイロードとして含む。クライアント−サーバモード（図５に示す）では、メッセージは任意選択的に、ＩＭＡサーバの宛先番号を持つ（例えばＧＳＭ、ＣＤＭＡ等で使用されるような）標準ＳＭＳヘッダを含む一方、ＳＭＳペイロードは、符号化されたアイコニックメッセージにアプリケーションによって付加されるＩＭＡヘッダ（宛先ＵＲＩを含む）を含む。
【０２６１】
宛先ＵＲＩは様々なフォーマット、例えば次のうちの１つまたはそれ以上を取ることができる。
ａ．別の電話機宛ての場合、例えばｔｅｌ：／／［電話番号］、例：ｔｅｌ：／／＋９７２５４４５５０１３５
ｂ．電子メール宛ての場合、例えばｅｍａｉｌ：／／［電子メールアドレス］、例：ｅｍａｉｌ：／／ａｂｃ＠ａｏｌ．ｃｏｍ；
ｃ．ＩＰ宛ての場合、例えばｕｄｐ：／／［ＩＰアドレス］：［ポート］、例：ｕｄｐ：／／１２７．０．０．１：８００９
ｄ．セルラ電話機宛ての場合（例えば同一または異なるメッセージで）
ｅ．インスタントメッセージングユーザ宛ての場合
【０２６２】
任意選択的に、アイコンメッセージは１組の連絡先に同時に送信することができる。任意選択的に、クライアントおよび／またはサーバは、どのトランスポート方法を各受信者に対して使用するかを決定する。
【０２６３】
ＳＭＳセンタは任意選択的に標準ＳＭＳヘッダを認識し、メッセージの残部をペイロードとして取り扱い、それをそのまま宛先装置（クライアント−サーバモードの場合にはＩＭＡサーバ）に転送する。ＩＭＡヘッダはＩＭＡサーバによって抽出され、メッセージをどこに配信するかを定める。ＳＭＳフォーマットメッセージを受信すると、受信装置のオペレーションシステムはＳＭＳヘッダを抽出し（１１０３）、メッセージの残部をアイコニックメッセージアプリケーションに転送する。ＳＭＳフォーマットメッセージはさらに、例えば図１２にさらに示すように、受信装置に表示されるアイコニックメッセージに復号される（１１０４）。
【０２６４】
図１２は、非限定的な実施例として、本発明のクライアント−サーバの実施形態に係る、ショートメッセージサービス（ＳＭＳ）ネットワークを介するアイコニックメッセージに基づく通信の主要ステップを示す、概略的に例証する一般的流れ図である。他のメッセージングサブシステム、例えばＭＭＳ、ｉモード、または専用メッセージングシステムを使用することができることに留意されたい。
【０２６５】
ユーザがアイコニックメッセージを作成した後、ユーザは受信者を選択し、「送信（ＳＥＮＤ）」を押す（または移動装置および／またはユーザに便利ないずれかの他の仕方で送信プロセスを起動する）（１２０１）。プロセッサ（４０３、図４）は、標準メッセージサービスと互換可能なフォーマットでメッセージを符号化し（例えばＳＭＳサービスの場合、図１１に示す通り）、かつネットワークインタフェース（４０７、図４）を介して、メッセージをサービスセンタ（例えばＳＭＳセンタ）に送信する（１２０２）。アイコニックメッセージを受信した後、サービスセンタはメッセージヘッダを構文解析し、特殊なマーク（例えばポート番号）に従ってアイコニックメッセージを認識し、メッセージをＩＭＡサーバに転送する（１２０３）。
【０２６６】
旧世代のハンドセットＪ２ＭＥの実現は、アプリケーションからＳＭＳを生成するオプションを提供する、ＷＭＡ（ワイヤレスメッセージングＡＰＩ、ＪＳＲ１２０）と呼ばれるモジュールを欠如しているかもしれない。そのような場合、クライアントは、サーバとのＩＰ（一般的にＨＴＴＰまたはＷＡＰ）セッションを開始し、次いでメッセージをサーバに伝達する。
【０２６７】
メッセージの受信後、ＩＭＡサーバは受信者を識別し、ユーザデータベースから受信者関連情報を入手する（１２０４）。
【０２６８】
受信者の装置がアイコニックメッセージアプリケーションによって権限を付与されないか、あるいは受信者がユーザのデータベースに存在しない他の理由がある場合、ＩＭＡサーバはサービスセンタを介して送信者に配信失敗を通知することができる。本発明の特定の実施形態では、ＩＭＡサーバは、受信者に受け入れられるフォーマット（例えばＭＭＳ）にアイコニックメッセージを翻訳し、再フォーマット設定されたメッセージを、サービスセンタを介して受信者に送信することができる。代替的に、または追加的に、サーバはメッセージのレンダリング画像を持つＷＡＰページを作成することができる。任意選択的に、ＷＡＰページは様々な一般的スクリーンサイズに適合され、ターゲット装置が大きいページを提示するのに限界がある場合には、継続リンクを用いて、レンダリングメッセージを連続ページに分割することができる。加えて、ターゲット装置のハンドセットは、ＷＡＰトランザクションプロトコルによって、ＵＡ−Ｐｒｏｆおよび／またはＵＡヘッダによって運ばれる格納されたプロファイルまたはＩＤによって、またはそれ以外の方法でサーバおよび／またはセルラオペレータが入手可能な情報に基づいて、識別することができる。次いで、適切なＷＡＰページが任意選択的に、ターゲットのディスプレイおよび／またはブラウジング能力に適合するようにレンダリングされる。ＷＡＰページは任意選択的に、適合するクライアントソフトウェアをダウンロードサーバからダウンロードするリンクを含む。
【０２６９】
任意選択的に、サーバは、適切なハンドセットおよび／またはソフトウェアを持たないユーザに対し、メッセージを見ることができないことを通知する。代替的に、または追加的に、サーバはメッセージをテキストメッセージに翻訳する。代替的に、または追加的に、サーバはレンダリングされたメッセージを特定のウェブ位置に配置し、ターゲットユーザに対し、インターネットに接続されたＰＣ等の適切な手段を用いてそのページを見るように指示する。代替的に、または追加的に、サーバは電子メールでメッセージを送信する。
【０２７０】
受信者を識別した後、ＩＭＡサーバは任意選択的に、ユーザのデータベースに含まれる受信装置の型を決定し、この型に適合させるためにメッセージのフォーマットを変換する。例えば、メッセージが電子メールアドレスに送信されると、ＩＭＡサーバは受信した符号化されたアイコニックメッセージを復号し、適切なアイコンを持つ画像ファイルを作成し、ＳＭＴＰを介してターゲット電子メールアドレスに電子メールメッセージを、このメッセージに画像ファイルを添付して（またはＨＴＭＬまたはＲＴＦメールとして）、送信することができる。このようにして、標準電子メールクライアントは、特定のソフトウェアをインストールする必要なく、アイコニックメッセージを受信することができる。同様に、インスタントメッセージング、例えばＩＣＱをサポートするために、サーバはＩＣＱプロトコルを介して、それがあたかも別のＩＣＱクライアント等から送信されるかのように、メッセージを送信することができる。
【０２７１】
さらに送信ハンドセットの識別を助けるために、サーバにダウンロードされるソフトウェアに、クライアント型ＩＤを埋め込むことができる。インストールまたは自動ポストインストール段階の一部として、クライアントは起動メッセージを生成し、それはサーバに送信され、新しくサポートされるハンドセットについてサーバに知らせる。この起動メッセージは、クライアント型ＩＤおよび／または他のパラメータ、例えばクライアントソフトウェアバージョン、オペレータの名前、およびユーザによって入力されたユーザ名を含むことができる。そのような起動メッセージは、ユーザ名の変更、特殊アイコンパッケージのインストール、ＧＳＭサービスの場合の異なるハンドセットへのＳＩＭカードの転送等の様々な事象の発生時に、サーバを更新するために再送信することができる。任意選択的に、起動メッセージは、外部ダウンロードサーバが使用される場合／ときに、インスタントサービスを可能にし、新しく認証されたユーザに関する報告を生成し、そのような報告をサーバに渡すのにかなりの遅延を追加する。任意選択的に、起動メッセージは、ソフトウェアが登録なく使用されるのを防止するために用いられる。任意選択的に、アプリケーションソフトウェアは定期的（かつ自動的）起動を必要とし、該起動は、許可されたサーバがアイコニックメッセージングのために、かつ／またはソフトウェアの送信以外の使用を防止するために、使用されることを確実にする。
【０２７２】
ＷＭＡ（ワイヤレスメッセージングＡＰＩ、ＪＳＲ１２０）が欠如している旧世代のＪ２ＭＥハンドセットでは、クライアントは任意選択的に、起動メッセージを伝達するためにサーバとのＩＰ（一般的にＨＴＴＰまたはＷＡＰ）セッションを開始する。
【０２７３】
アイコニックメッセージが移動装置に送信されると、ＩＭＡサーバは任意選択的に、ターゲット装置およびそれがメッセージを受信するためにどんな方法を使用できるかを決定する。方法は例えばＣＤＭＡ  ＢＲＥＷもしくはＧＳＭ移動情報装置プロファイル（ＭＩＤＰ）、または他の方法とすることができる。図１２はＭＩＤＰに基づいているが、他の型には同様の実現を使用することができる。ＩＭＡサーバは任意選択的に、どのＭＩＤＰ（１２０５）が受信者によってサポートされるかを決定する。これらの決定は任意選択的に、サーバに格納されたデータ、またはセルラオペレータを使用することによって、またはターゲットへのクエリおよび応答に基づいて行なわれる。ＭＩＤＰは、ハンドセット装置用のＪ２ＭＥ実現である（例えばｗｗｗ．ｊｃｐ．ｏｒｇの詳細説明を参照されたい。その開示内容を参照によって本書に援用する）。現在利用可能な移動装置の大半はＭＩＤＰ１バージョン（仕様書ＪＳＲ−３７）をサポートする一方、新世代はＭＩＤＰ２バージョン（仕様書ＪＳＲ−１１８）をサポートする。本発明の特定の実施形態に関する限り、バージョン間の１つの相違点は、ＭＩＤＰ２がアプリケーションを特定ポートで受信されたＳＭＳメッセージのデフォルトハンドラとして登録できる一方、ＭＩＤＰ１はそれができないことである。したがってＭＩＤＰ２装置では、ＩＭＡメッセージをプッシュモードで送信し、装置ＯＳは取り扱うＩＭＡアプリケーションにそれらを自動的に転送せしめることができるが、ＭＩＤＰ１装置では、装置のデフォルトメッセージングソフトウェアではなく、ＩＭＡアプリケーションがＩＭＡメッセージを取り扱うことを確実にするために、ＩＭＡアプリケーションはプルモードで動作することができる。
【０２７４】
移動装置サポートＭＩＤＰ１（それだけに限らない）へのアイコニックメッセージは、任意選択的にＩＭＡサーバに格納される（１２０６）。本発明の特定の実施形態では、サーバは、通知メッセージ（例えば受信者の装置に送信される普通のＳＭＳ）または他の警告を送信することによって、新しいメッセージに関して受信者に知らせる。新しいメッセージを受け取るために、受信者はアイコニックメッセージアプリケーションを起動し、任意選択的にポーリングによってメッセージデータベース（プルモード）からメッセージをダウンロードする（１２０７）。受信装置がＭＩＤＰ２バージョンをサポートする場合、ＩＭＡサーバはアイコニックメッセージを装置の指定ポートに送信することができる（１２０８）。アイコニックメッセージアプリケーションは自動的に起動され、受信者は通知を受信し、通常のメッセージと同様の仕方でアイコニックメッセージを読むことができる（１２０９）。
【０２７５】
アイコンコード、アイコン画像、およびアイコンテキスト、ならびにユーザグループのマッチング
アイコニックメッセージの送信者および受信者は、実質的に同じ概念を表現するアイコンに使用される例えばグラフィック画像に異なる嗜好を持ち得る。本発明の特定の実施形態では、異なる外見のセットアイコンは異なるＩＤを有し、復号プロセスは、予め定められた対応付けに従って、原ＩＤと新しいＩＤ（およびしたがって新しいグラフィック画像）との置換を含むことができる。例えば、発信されたメッセージが「幸運」を表わすグラフィック画像としてスロットマシン（ＩＤ＝Ａ）を含む一方、受信者が「幸運」を表わすグラフィック画像として龍（ＩＤ＝Ｂ）を好む場合、受信装置に組み込まれたアプリケーションはさらに、復号した後、表示する前に、ＩＤ＝ＡをＩＤ＝Ｂと置換する予め定められた規則を含むことができる。他の実施形態では、同じＩＤを使用するが、各々がそのＩＤに異なる画像を関連付ける。
【０２７６】
上述の通り、本発明の一部の実施形態では、アイコニックセットは、何らかのコミュニティ（例えば株式仲買人、スポーツファン等）内部の移動通信に使用される。そのようなコミュニティ（以下「ユーザグループ」）のメンバは、彼らの内部の必要性および嗜好に従って、既存のセットアイコンの外見および意味をパーソナライズし、セットアイコン、カテゴリ、およびサブカテゴリを追加かつ／または削除することができる。例えば図２の「行く」は「歩く」、または奮闘的なスポーツの側面では「蹴る」を意味することがあり得る。
【０２７７】
任意選択的に、新しいアイコンがグループで生成され、単語の意味等の他の嗜好に関する投票に代替または追加して、それについて投票される。そのようなメカニズムは、システム全体の定義にも使用することができる。
【０２７８】
アイコン名または／およびヘルプテキスト等のテキスト要素の中には、様々な言語間で異なっていてもよい。任意選択的に同一言語が、例えば異なる文化、例えばアイルランド対スコットランドを示すために、別個のグループとして設定される。
【０２７９】
任意選択的にサーバは、システムに存在し、任意選択的に地理的キー、人口動態キー、および／またはアルファベットキーの１つまたはそれ以上に従って編成される１組の「領域」またはグループを格納する。任意選択的に、ユーザは複数のグループに属することができる。任意選択的に、メッセージに使用されるグループは、ターゲット受信者、メッセージに使用されるアイコン（例えば上述したカテゴリ０−３）の１つまたはそれ以上に依存し、かつ／または手動的に選択される。任意選択的に、メッセージの一部分だけがグループ設定によって影響される。代替的に、メッセージ全体が例えばフォントタイプおよび方向をグループに応じて修正する。
【０２８０】
任意選択的に、各ハンドセット型は、例えばそのスクリーン解像度に適合するように大きさを設定された格納されたアイコン、または／ならびにアプリケーション機能およびオプション制御用のキーの、特定のハンドセットにおけるそのようなキーに利用可能性による異なるマッピングなど、それ自体の適合するパラメータを持つことができる。パラメータの別のセットは、特定のハンドセットのメモリ構造および使用頻度スキームに関連付けることができる。利用可能になると、ユーザ名または連絡先リストならびに入力ボックス／出力ボックス／フレーズアイコンおよび特殊アイコンは、インストールされた場合、ソフトウェアが更新されても消去されない永続性メモリにより良く保存される。任意選択的に、そのようなメモリはグラフィックの一部を格納するために使用される。任意選択的に、メモリがアプリケーションの間で共用される場合、それは、例えば特殊パーソナルパッケージ用のグラフィックコンテンツを別個にアップロードするために使用することもできる。そのようなメモリの１例として、一部のＪ２ＭＥハンドセットで利用可能なＲＭＳがある。
【０２８１】
追加グラフィックスを格納するためのメモリが利用可能な場合に、おそらく役立つ他の方法を使用することができる。例えば、欠如しているアイコンを送信者から直接（例えばＳＭＳを使用して）、またはサーバから（例えばセッションまたはＳＭＳを使用して）アップロードする。自動機構を使用することができ、アイコンまたはカテゴリ全体が提示されない場合、それらをサーバから取得することができる。そのような方法は、ハンドセットに仮想／動的リポジトリを構築するために使用することができる。任意選択的に、これは、ストレージメモリが非常に限定されている、例えばアプリケーションに対し２００ＫＢ未満、アプリケーションに対し１００ＫＢ未満、アプリケーションに対し５０ＫＢ未満、またはアプリケーションに対し２０ＫＢ未満のハンドセットを使用することができるようにする。任意選択的に、サーバおよび／または送信機を仮想メモリ（例えば要求によりダウンロードされるページ化メモリ）として使用することにより、様々なメモリ能力を持つ一連のハンドセットをサポートすることができる。任意選択的に、ローカルメモリはキャッシュとして使用される。
【０２８２】
追加の用途
本発明の特定の実施形態では、アイコニックセットは、移動体広告、移動体コンテンツサービス、移動体ゲーム、および／または純粋な人間対人間のメッセージではない他の活動に使用することができる。
【０２８３】
本発明の例示的実施形態で、プロモータはサービスプロバイダに、メッセージを送信すべき相手の名前のリストを送信することができる。このメッセージは次いで、クライアントに送信される。任意選択的に、プロモータの専用アイコンを、例えば一時的に、または永久的に、アイコンセットに付加することができる。任意選択的に、アイコンのＩＤはサーバによって既存のメッセージトラフィックに付加される。代替的に、または追加的に、ユーザがアイコンを見る、および／または入力することはできない。
【０２８４】
任意選択的に、クライアントアプリケーションは、アイコンに対応するウェブまたはＷＡＰまたは他の外部データソースへのサーフィンをサポートする。任意選択的に、そのような関連付けはクライアントおよび／またはサーバに格納される。
【０２８５】
本発明の例示的実施形態では、スライドショーまたは他の動画をスクリーンセーバとして使用することができる。任意選択的に、移動装置のスクリーンセーバ機構は、クライアントアプリケーションをビューモードで起動させ、キーが押されると、制御はアプリケーションではなく、移動装置に戻る。
【０２８６】
任意選択的に、サーバまたは他のプロバイダは動画をＪＡＶＡ（登録商標）または他の独立型実行ファイル（ｓｔａｎｄ−ａｌｏｎｅ  ｅｘｅｃｕｔａｂｌｅ）に変換することができる。
【０２８７】
本発明の例示的実施形態では、俳優等の有名人がメッセージを読み上げることによって、着信音が形成される。任意選択的に、メッセージ全体が読み上げられる。代替的に、個々のアイコンが読み上げられ、関連オーディオファイルをダウンロードに利用することができる。任意選択的に、そのようなアイコンメッセージを音声メールボックスに送信することができる。
【０２８８】
アイコンセットを容易化する別の実施例で、アイコンを競技用コマ（ｐｌａｙ  ｐｉｅｃｅ）として使用するゲームを提供することができる。任意選択的に、ユーザは既存のメッセージからゲームを開始することができ、表示されたコマはその時点の競技用コマとして役立つ。
【０２８９】
本発明の例示的実施形態では、アイコン通信は集団協力のために使用される。世論調査を超える１つの潜在的な利点は、広範囲の応答が得られる一方、生じ得る異なるアイコンの数（例えば１アイコンの応答）が極めて限定されることである。これは、世論調査が一般的に選択肢の限定されたリストを掲げ、あるいはたとえ１単語だけであったとしても随意の回答を許容し、それが大規模世論調査の場合には結果として何千通りもの可能性が容易に生じ得る、言語に基づく世論調査とは対照的である。アイコンを使用すると、応答セットは限定されるが、ユーザは感情および／または意見を簡潔に表現することができる。
【０２９０】
本発明の例示的実施形態では、複数のユーザが協力して単一のメッセージを送信することができる。例えば、フットボールの試合で３人の人間が３つの電話機で複合メッセージ、すなわち（ユーザ１）：審判（Ｒｅｆｅｒｅｅ）、（ユーザ２）：行く（ｇｏ）、（ユーザ３）：家（ｈｏｍｅ）を作成する。
【０２９１】
１実施例では、スポーツイベント中に、観客（例えば試合会場および／または家庭にいる）は、彼らの瞬間的な気持ち（例えばゴールに対する反応）を示すために、１つまたは２つのアイコンを選択することができる。最も一般的なアイコンを代表的な反応として使用することができる。
【０２９２】
本発明の例示的実施形態では、アイコンメッセージは、ユーザが例えばスポーツイベントを観戦しながら感情を表わすために使用される。任意選択的に、所与のスポーツイベントの場合、ユーザは、１組の適切なアイコン、例えばチーム選手および「審判」の名前をダウンロードすることができる（例えばインターネットから、またはセルラプロバイダから、またはメモリカードを介して）。任意選択的に、ビジュアル（ｖｉｄｕａｌｓ）は特定の試合に適合される。任意選択的に、選手のシャツ番号に従って選手アイコンへのショートカットが設けられる。
【０２９３】
任意選択的に、例えば雰囲気を高めるために、「標準」アイコンセットは、例えば人々の頭をサッカーボールに置き換えるなど、試合のムードに適合するように修正される。
【０２９４】
任意選択的に、スポーツイベントに、かつ／またはユーザのメッセージの指示、例えば審判または現在のボール保持者の意見が表示される、テレビ画面の一部として、ビルボードが提示される。
【０２９５】
本発明の例示的実施形態では、ビルボードの観客がビルボードにメッセージを送信する、観客のバトルが提供される。例えば、ビルボードは、２つのフィギュアを表示することができ、観客は一方または他方のフィギュアをサポートするかどうかを選択する。フィギュアはチームを表わすことができる。任意選択的に、フィギュアの動き（例えば蹴る）を表わす特殊アイコンが提供される。任意選択的に、過半数のアイコンメッセージは従う。
【０２９６】
本発明の例示的実施形態では、ユーザがアイコンメッセージを相互に交換し、かつ／またはチャットルームに位置することのできる、チャットアプリケーションを提供する。任意選択的に、ルーム環境はサーバによって、または別個のサーバによってサポートされる。任意選択的に、アイコンメッセージは、非サポート電話機のためにテキストに翻訳される。任意選択的に、各ユーザは彼自身の言語でチャットルームを見る。任意選択的に、テキストメッセージはすぐにアイコンメッセージに翻訳される。
【０２９７】
本発明の例示的実施形態では、テキストからアイコンメッセージへの自動翻訳が提供される。任意選択的に、「ｔｈｅ」および「ｂｙ」等のアイコンセットに存在しない単語は削除される。次いで、既存のテキストシーケンスは辞書を用いて翻訳される。辞書に無い単語は、テキストとして任意選択的に提供される。多言語を使用する場合、言語から言語への直接翻訳を使用することができる。
【０２９８】
本発明の例示的実施形態では、アイコニックセットは翻訳ツールとして使用される。ユーザはアイコンセットにメッセージを入力する。次いでユーザは、例えば局所的に格納された辞書を用いて、またはサーバを用いて、ターゲット言語への翻訳を要求する。このメッセージはターゲットユーザに示される。アイコニックセットを使用する潜在的な利点は、原メッセージがユーザによって凝縮され、アイコンセットで表現されることである。したがって、翻訳の曖昧さを低減することができる。任意選択的に、この方法で慣用句（意図的であるか否かに関わらず）を低減することができる。
【０２９９】
上記の装置および方法は、アイコニックセットを中心にして記載したが、上記方法は他のデータ、例えばＳＭＳまたはＭＭＳプロトコルを用いて転送されるデータに使用することもできる。１つの例は、フォーマットされたテキスト（例えばサイズ、フォント、角度付け等を含む）の送信である。別の例は、各チェスのコマが８×８のマトリックスに構成されたアイコンによって表示される、チェス盤の配列である。任意選択的に、各々のそのようなアイコンは、それに関連付けられたスクリーン位置を有する。別の例は、ユーザに送信された１組１５個の中からユーザが５個のアイコンだけを含むメッセージを送信する、バスケットボールチームの構築である。このメッセージは、何らかの試合における観客の希望を追跡するために使用することができる。
【０３００】
別の例では、アイコンまたは写真が使用される。例えば、買物をする夫（または子供）に送信する妻は、買うべき製品のアイコンまたは画像を含むリストを作成する。任意選択的に、これらの画像は家で、または店舗で取り込まれる（またはダウンロードされる）。
【０３０１】
個人から事業への用途も提供することができる。例えばユーザは、写真、コード（既知の場合）、およびテキスト（コードおよび写真／アイコンが利用できない場合）から成るメッセージを使用した買物リストを送信する。別の例は、例えば選手の番号またはアイコンを入力することによって、スポーツの試合で「最良の選手」を投票することである。
【０３０２】
事業から個人への用途の１例として、銀行または証券会社からのメッセージ（例えば３文字の株式インジケータ推薦を示すアイコン）がある。
【０３０３】
ゲームの１例は、ユーザが以前にチェーンの中にいなかった別のユーザに、例えば時間制限以内に、アイコンメッセージを送信する必要がある場合の「パス」である。サーバは、（例えばチェーン内のアドレスを拒絶することによって）、チェーンを調べ、それがループしていないことを確認することができる。任意選択的に、チェーンは、例えば「マンチェスタ・ユナイテッドのサポータ」というテーマを持つ。
【０３０４】
最も多用されるアイコンを決定し、キャッシュを生成する上記の機構はまた、セルラ電話機の他のデータ、例えばテキストフォントに使用することもできる。任意選択的に、進行中の最適化プロセスが提供される。任意選択的に、あまり頻繁に使用されないアイコンは、セットから廃棄される。同様に、アイコンおよび／またはサブカテゴリは、それらの使用に応じてレベルおよび／またはカテゴリを変更することができる。
【０３０５】
グループの上記機構は、アイコンセット以外の分野に拡張することができる。例えばユーザディスプレイ設定、フォント設定、および／または色（またはフォーマット設定命令）は、グループ毎にサポートすることができる。所属するグループに基づいて受信側で翻訳する上記機構を使用することもできる。
【０３０６】
概要
本発明は必ずしも、本書に含まれる説明に記載し、あるいは図面に図示した特定の詳細にその適用を限定されないことを理解されたい。本発明は他の実施形態が可能であり、様々な仕方で実施しかつ実行することができる。したがって、本書で使用する言葉づかいおよび用語法は、説明を目的としたものであって、必ずしも限定とみなすべきではないことを理解されたい。
【０３０７】
また、本発明は、本発明の方法を実行するために機械によって実行可能な命令のプログラムを具体的に具現する、機械可読メモリおよび／または回路機構および／またはファームウェアを企図することをも理解されたい。また、適切にプログラムされた汎用機械も企図される。
【０３０８】
付属の特許請求の範囲に記載する本発明の範囲から逸脱することなく、本書で上述した本発明の実施形態に様々な変形および変化を適用することができることを、当業者は容易に理解するであろう。
【０３０９】
上述した説明において、多数の特定の詳細は、本発明の完全な理解をもたらすために記載したものである。しかし、これらの特定の詳細無しに、本発明を実施することができることを、当業者は理解するであろう。他の場合、周知の方法、手順、構成部品、および回路は、本発明を曖昧にしないために、必ずしも詳述しなかった。
【０３１０】
特に明記しない限り、上記の説明から明らかな通り、明細書全体を通して、「処理する」、「演算する」、「計算する」、「決定する」、または類似物のような用語を利用する記述は、コンピューティングシステムのレジスタおよび／またはメモリ内で電子的数量のような物理的数量として表わされるデータを操作し、かつ／または、同様にコンピューティングシステムのメモリ、レジスタ、または他のそのような情報記憶装置、送信または表示装置で物理的数量として表わされる他のデータに変換する、コンピュータもしくはコンピューティングシステム、またはプロセッサもしくは同様の電子コンピューティング装置の動作および／またはプロセスを指していることを理解されたい。場合によっては、そのような動作は、ユーザが例えば挿入するアイコンを決定して、実行することができる。
【０３１１】
この特許明細書で使用する用語「移動装置」は、通信能力を持ついずれの種類の移動装置をも網羅するように広義に解釈すべきであり、セルラ電話機、双方向ページャ、無線電話機、ＰＤＡ、ＴＶリモートコントロール装置、ＤＥＣＴ、およびワイヤレス情報装置を含む。本発明の一部の実施形態では、スクリーン、メモリ、および／または入力能力が限定されている等、ある種の移動装置に特に重点を置いている。該用語は、ＧＳＭまたはＵＭＴＳ、および他のワイヤレス通信標準、システム、および／またはプロトコル、例えばブルートゥースおよびＷｉＦｉ等の移動無線を使用して通信することができる装置を含む。本発明の一部の実施形態では、移動装置は、様々なネットワーク、例えばセルラネットワーク、広帯域ネットワーク、固定回線ネットワーク、データ通信ネットワーク（ＬＡＮおよびＷＡＮなど）、ならびにインターネットネットワークを介して、かつ／または様々なサービス（例えば、ＳＭＳ、ＭＭＳ、インスタントメッセージング、ＩＭＳ、およびその他のようなメッセージングサービス、移動体広告、ならびに移動体コンテンツサービス）内で、別の移動装置または他の装置（例えばパーソナルコンピュータ）と通信することができる。
【０３１２】
本発明の実施形態は、本書の動作を実行するためにプロセッサ、コンピュータ、装置、システム、サブシステム、モジュール、ユニット、デバイス等の用語を（単数形または複数形で）使用することがある。これは、所望の目的のために特別に構成することができ、あるいは選択的に作動するか、あるいはコンピュータに格納されたコンピュータプログラムによって再構成される汎用コンピュータを含むことができる。そのようなコンピュータプログラムは、フロッピー（登録商標）ディスク、光ディスク、ＣＤ−ＲＯＭ、磁気光ディスクを含めいずれかの型のディスク、読出し専用メモリ（ＲＯＭ）、ランダムアクセスメモリ（ＲＡＭ）、電気的プログラム可能読出し専用メモリ（ＥＰＲＯＭ）、電気的消去可能プログラム可能読出し専用メモリ（ＥＥＰＲＯＭ）、磁気もしくは光カード、または電子的命令を格納するのに適しかつコンピュータシステムバスに接続することができるいずれかの他の型のメディアなど、それらに限らず、コンピュータ記憶媒体に格納することができる。
【０３１３】
単一の装置を説明したが、複数の装置を設けることができる。例えば、サーバは、同一または異なるオペレータによって作動する、同一場所または分散された場所の複数のサーバを含むことができる。逆に、複数の構成要素を単一の構成要素に結合することができる。
【０３１４】
本書に提示したプロセス／装置（または上述したその対応用語）およびディスプレイは、必ずしも本質的にいずれかの特定のコンピュータまたは他の装置に関連しない。本書の教示に係るプログラムを持つ、様々な汎用システムを使用することができ、あるいは、所望の方法を実行するために、より特殊化された装置を構成することが便利であると証明されるかもしれない。加えて、本発明の実施形態は、いずれかの特定のプログラミング言語に関連して記載されていない。多種多様なプログラミング言語を使用して、本書に記載した本発明の教示を実現することができることは、理解されるであろう。現在、セルラ電話機に特定の言語が使用されているが、これは全ての実施形態の本質的な制約とみなすべきではない。
【０３１５】
ソフトウェアが構成要素を含むと記載されている場合、構成要素はさまざまな方法で組み合せかつ／または実現することができ、本発明の一部の実施形態の精神から逸脱することなく、単一の構成要素を分割することができることを理解されたい。
【０３１６】
１つの実施形態に関連して記載した特徴および／またはステップは、他の実施形態で使用することができ、本発明の全ての実施形態が、特定の図に示し、あるいは本発明の実施形態の１つに関連して記載した特徴および／またはステップの全部を持つわけではないことを理解されたい。セクションの見出しは、ナビゲーションを容易にするために設けたものであって、必ずしも本書の開示をセクションのタイトルの主題に限定するものではない。
【０３１７】
記載された実施形態のうちいくつかは、発明者によって企図される最良の形態を記載し、それゆえ本発明に欠くことができないわけではない、実施例として記載される構造、行為、または構造および行為の詳細を含むことができるということに注意されたい。本明細書中に記載される構造および行為は、構造または行為が異なっていても同じ機能を実行する、当該分野において公知の等価なものによって置き換えられる。したがって、本発明の範囲は、特許請求の範囲において使用される要素および限定によってのみ制限される。用語「含む（ｃｏｍｐｒｉｓｅ）」、「含む（ｉｎｃｌｕｄｅ）」、「有する（ｈａｖｅ）」およびそれらの活用形は、特許請求の範囲において使用されるとき、「含むが必ずしも限定されない（ｉｎｃｌｕｄｉｎｇ  ｂｕｔ  ｎｏｔ  ｌｉｍｉｔｅｄ  ｔｏ）」ということを意味する。
【図面の簡単な説明】
【０３１８】
【図１】本発明の特定の実施形態に係る移動通信用のアイコニックセットの略構造を示す。
【図２】本発明の特定の実施形態に係る例示的フレーズおよび対話を示す。
【図３】本発明の特定の実施形態に係る例示的フレーズおよび対話を示す。
【図４】本発明の特定の実施形態に係る、移動装置に組み込むためのコンピュータアプリケーション製品の例示的機能アーキテクチャの一般的ブロック図を示す。
【図５】本発明の特定の実施形態に係る、移動装置に組み込むためのコンピュータアプリケーション製品の例示的機能アーキテクチャおよび前記アプリケーションを含むシステムの一般的ブロック図を示す。
【図６】本発明の特定の実施形態に係るアイコニックメッセージを作成するための例示的基本スクリーンを概略的に示す。
【図７】本発明の特定の実施形態に係るアイコニックメッセージを作成するための例示的基本スクリーンを概略的に示す。
【図８】本発明の特定の実施形態に係るアイコニックメッセージを作成するための例示的基本スクリーンを概略的に示す。
【図９】本発明の特定の実施形態に係るアイコニックメッセージを作成するための例示的基本スクリーンを概略的に示す。
【図１０】本発明の特定の実施形態に係るアイコニックメッセージを作成するための例示的基本スクリーンを概略的に示す。
【図１１】ＳＭＳ通信用に実現される、本発明の特定の実施形態に係るアイコニックメッセージを変換する主要ステップを示す一般的流れ図を示す。
【図１２】本発明の特定の実施形態に係るＳＭＳネットワークを介するアイコニックメッセージに基づく通信の主要ステップを示す一般的流れ図を示す。
【図１３Ａ】本発明の例示的実施形態に従って使用するためのアイコンの例示的セットを示す。
【図１３Ｂ】本発明の例示的実施形態に従って使用するためのアイコンの例示的セットを示す。
【図１３Ｃ】本発明の例示的実施形態に従って使用するためのアイコンの例示的セットを示す。
【図１３Ｄ】本発明の例示的実施形態に従って使用するためのアイコンの例示的セットを示す。
【図１３Ｅ】本発明の例示的実施形態に従って使用するためのアイコンの例示的セットを示す。
【図１】
2008527563.tif 000009
【図２】
2008527563.tif 000010
【図３】
2008527563.tif 000011
【図４】
2008527563.tif 000012
【図５】
2008527563.tif 000013
【図６】
2008527563.tif 000014
【図７】
2008527563.tif 000015
【図８】
2008527563.tif 000016
【図９】
2008527563.tif 000017
【図１０】
2008527563.tif 000018
【図１１】
2008527563.tif 000019
【図１２】
2008527563.tif 000020
【図１３Ａ】
2008527563.tif 000021
【図１３Ｂ】
2008527563.tif 000022
【図１３Ｃ】
2008527563.tif 000023
【図１３Ｄ】
2008527563.tif 000024
【図１３Ｅ】
2008527563.tif 000025
【国際調査報告】
2008527563.tif 000026